(57)【要約】【課題】光ディスク等の情報記録媒体に、例えば複数の番組或いは複数のビデオ解像度、パレンタルレベルやアングル等を含むコンテンツ情報を効率的に記録し、それらのうち所望のものを選択して再生できるようにする。【解決手段】情報記録媒体には、複数のコンテンツ情報と、これらの再生シーケンスを規定する複数のプレイリスト情報を夫々含む複数のプレイリストセットとが記録される。更に、複数のコンテンツ情報を論理的に一まとまりの情報単位であるタイトルとして再生するように、再生されるべきコンテンツ情報に対応する少なくとも一つのプレイリストセットを、複数のプレイリストセットの中から指定するタイトル情報が記録される。【選択図】図３
2006252759.tif 000002
【特許請求の範囲】
【請求項１】
複数のコンテンツ情報と、
該複数のコンテンツ情報の再生シーケンスを規定する複数のプレイリスト情報を夫々含む複数のプレイリストセットと、
前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報と
が記録されたことを特徴とする情報記録媒体。
【請求項２】
前記タイトル情報は、少なくとも一つのタイトルエレメントを含み、
該タイトルエレメントは、前記再生されるべきコンテンツ情報に対応する少なくとも一つのプレイリストセットを指定する第１ポインタ情報を含むことを特徴とする請求項１に記載の情報記録媒体。
【請求項３】
前記タイトルエレメントは、前記第１ポインタ情報に加えて、(i)前記第１ポインタ情報により指定される一のプレイリストセットにより
再生シーケンスが規定されるコンテンツ情報の再生前に実行されるべきコマンドを示す第１プリコマンド情報、(ii)前記一のプレイリストセットにより再生シーケンスが規定されるコンテンツ情報の再生後に実行されるべきコマンドを示す第１ポストコマンド情報、及び(iii)前記タイトルエレメントに係る再生の次の再
生に係るタイトルエレメントを指定する第１ネクスト情報のうち、少なくとも一つを含むことを特徴とする請求項２に記載の情報記録媒体。
【請求項４】
同一のプレイリストセットに含まれる複数のプレイリスト情報のうち、前記再生されるべきコンテンツ情報の再生シーケンスを規定する一つのプレイリスト情報が、前記第１プリコマンド情報によって選択されることを特徴とする請求項３に記載の情報記録媒体。
【請求項５】
同一のプレイリストセットに含まれる複数のプレイリスト情報には夫々、固有の属性を示す属性情報が付加されており、
前記タイトルエレメントは、前記同一のプレイリストセットに含まれる複数のプレイリスト情報のうち一つのプレイリスト情報を、前記属性情報に応じて選択可能である旨を示す選択可能フラグを更に含むことを特徴とする請求項２又は３に記載の情報記録媒体。
【請求項６】
前記タイトルエレメントは、同一のプレイリストセットに含まれる複数のプレイリスト情報の夫々についての選択条件を示す選択条件情報を更に含むことを特徴とする請求項２又は３に記載の情報記録媒体。
【請求項７】
前記同一のプレイリストセットに含まれる複数のプレイリスト情報は、いずれか一つによって同一のタイトルを構成可能な複数のコンテンツ情報の再生シーケンスを規定することを特徴とする請求項４から６のいずれか一項に記載の情報記録媒体。
【請求項８】
前記プレイリスト情報は夫々、少なくとも一つのプレイリストエレメントを含み、
該プレイリストエレメントは、前記コンテンツ情報を構成すると共に論理的にアクセス可能な再生単位であるアイテム情報を指定する第２ポインタ情報を含むことを特徴とする請求項１から７のいずれか一項に記載の情報記録媒体。
【請求項９】
前記プレイリストエレメントは、前記第２ポインタ情報に加えて、(i)前記第２ポインタ情報により指定される一のアイテム情報の再生前
に実行されるべきコマンドを示す第２プリコマンド情報、(ii)前記一のアイテム情報の再生後に実行されるべきコマンドを示す第２ポストコマンド情報、及び(iii)前記プレイリストエレメントに係る再生の次の再生に係るプレイリストエレ
メントを指定する第２ネクスト情報のうち、少なくとも一つを含むことを特徴とする請求項８に記載の情報記録媒体。
【請求項１０】
前記複数のプレイリストセットは夫々、前記複数のプレイリスト情報に加えて、前記コンテンツ情報を構成すると共に論理的にアクセス可能な再生単位であるアイテム情報を定義するアイテム定義テーブルを含み、
前記複数のプレイリスト情報は夫々、前記アイテム情報の単位で、前記コンテンツ情報の再生シーケンスを規定することを特徴とする請求項１から９のいずれか一項に記載の情報記録媒体。
【請求項１１】
前記アイテム情報は、前記コンテンツ情報の再生開始アドレスをインポイント情報として規定すると共に再生終了アドレスをアウトポイント情報として規定する情報からなることを特徴とする請求項８から１０のいずれか一項に記載の情報記録媒体。
【請求項１２】
前記複数のコンテンツ情報から構成される複数の部分ストリームを含んでなる全体ストリームが、物理的にアクセス可能な単位であると共に前記複数のコンテンツ情報の断片を夫々格納するパケット単位で多重化されてなり、
前記複数のコンテンツ情報の再生を制御するための再生制御情報として、多重化される複数のパケットと前記複数の部分ストリームとの対応関係を定義する対応定義情報が更に記録されたことを特徴とする請求項１から１１のいずれか一項に記載の情報記録媒体。
【請求項１３】
複数のコンテンツ情報を記録する第１記録手段と、
該複数のコンテンツ情報の再生シーケンスを規定する複数のプレイリスト情報を夫々含む複数のプレイリストセットを記録する第２記録手段と、
前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録手段と
を備えたことを特徴とする情報記録装置。
【請求項１４】
複数のコンテンツ情報を記録する第１記録工程と、
該複数のコンテンツ情報の再生シーケンスを規定する複数のプレイリスト情報を夫々含む複数のプレイリストセットを記録する第２記録工程と、
前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録工程と
を備えたことを特徴とする情報記録方法。
【請求項１５】
請求項１から１２のいずれか一項に記載の情報記録媒体を再生する情報再生装置であって、
前記複数のコンテンツ情報、前記複数のプレイリストセット及び前記タイトル情報を再生可能な再生手段と、
(i)前記再生手段により再生された複数のプレイリストセットの中から、前記
再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段と
を備えたことを特徴とする情報再生装置。
【請求項１６】
請求項４に記載の情報記録媒体を再生する情報再生装置であって、
前記複数のコンテンツ情報、前記複数のプレイリストセット及び前記タイトル情報を再生可能な再生手段と、
(i)前記再生手段により再生された複数のプレイリストセットの中から、前記
再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段と
を備えており、
前記制御手段は、前記第１プリコマンド情報に基づいて、前記選択されたプレイリストセットに含まれる複数のプレイリスト情報のうち、前記一つのプレイリスト情報を選択することを特徴とする情報再生装置。
【請求項１７】
請求項５に記載の情報記録媒体を再生する情報再生装置であって、
前記複数のコンテンツ情報、前記複数のプレイリストセット及び前記タイトル情報を再生可能な再生手段と、
(i)前記再生手段により再生された複数のプレイリストセットの中から、前記
再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段と
を備えており、
前記制御手段は、前記選択可能フラグにより選択可能である旨が示されている場合に、前記属性情報に基づいて、前記選択されたプレイリストセットに含まれる複数のプレイリスト情報のうち、前記一つのプレイリスト情報を選択することを特徴とする情報再生装置。
【請求項１８】
請求項６に記載の情報記録媒体を再生する情報再生装置であって、
前記複数のコンテンツ情報、前記複数のプレイリストセット及び前記タイトル情報を再生可能な再生手段と、
(i)前記再生手段により再生された複数のプレイリストセットの中から、前記
再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段と
を備えており、
前記制御手段は、前記選択条件情報に基づいて、前記選択されたプレイリストセットに含まれる複数のプレイリスト情報のうち、前記一つのプレイリスト情報を選択することを特徴とする情報再生装置。
【請求項１９】
請求項１から１２のいずれか一項に記載の情報記録媒体を再生する、前記複数のコンテンツ情報、前記複数のプレイリストセット及び前記タイトル情報を再生可能な再生手段を備えた情報再生装置における情報再生方法であって、
前記再生手段により再生された複数のプレイリストセットの中から、前記再生手段により再生されたタイトル情報により指定された少なくとも一つを選択する第１制御工程と、
該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する第２制御工程と
を備えたことを特徴とする情報再生方法。
【請求項２０】
複数のコンテンツ情報を記録する第１記録手段と、
該複数のコンテンツ情報の再生シーケンスを規定する複数のプレイリスト情報を夫々含む複数のプレイリストセットを記録する第２記録手段と、
前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録手段と、
前記複数のコンテンツ情報、前記複数のプレイリストセット及び前記タイトル情報を再生可能な再生手段と、
(i)前記再生手段により再生された複数のプレイリストセットの中から、前記
再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段と
を備えたことを特徴とする情報記録再生装置。
【請求項２１】
複数のコンテンツ情報、複数のプレイリストセット及びタイトル情報を再生可能な再生手段を備えた情報記録再生装置における情報記録再生方法であって、
複数のコンテンツ情報を記録する第１記録工程と、
該複数のコンテンツ情報の再生シーケンスを規定する複数のプレイリスト情報を夫々含む複数のプレイリストセットを記録する第２記録工程と、
前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録工程と、
前記再生手段により再生された複数のプレイリストセットの中から、前記再生手段により再生されたタイトル情報により指定された少なくとも一つを選択する第１制御工程と、
該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する第２制御工程と
を備えたことを特徴とする情報記録再生方法。
【請求項２２】
請求項１３に記載の情報記録装置に備えられたコンピュータを制御する記録制御用のコンピュータプログラムであって、該コンピュータを、前記第１記録手段、前記第２記録手段及び前記第３記録手段の少なくとも一部として機能させることを特徴とする記録制御用のコンピュータプログラム。
【請求項２３】
請求項１５から１８のいずれか一項に記載の情報再生装置に備えられたコンピュータを制御する再生制御用のコンピュータプログラムであって、該コンピュータを、前記再生手段及び前記制御手段の少なくとも一部として機能させることを特徴とする再生制御用のコンピュータプログラム。
【請求項２４】
請求項２０に記載の情報記録再生装置に備えられたコンピュータを制御する記録再生制御用のコンピュータプログラムであって、該コンピュータを、前記第１記録手段、前記第２記録手段、前記第３記録手段、前記再生手段及び前記制御手段の少なくとも一部として機能させることを特徴とする記録再生制御用のコンピュータプログラム。
【請求項２５】
複数のコンテンツ情報と、
該複数のコンテンツ情報の再生シーケンスを規定する複数のプレイリスト情報を夫々含む複数のプレイリストセットと、
前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報と
を有することを特徴とする制御信号を含むデータ構造。
【発明の詳細な説明】
【技術分野】
【０００１】
本発明は、主映像、音声、副映像、再生制御情報等の各種情報を高密度に記録可能な高密度光ディスク等の情報記録媒体、当該情報記録媒体に情報を記録するための情報記録装置及び方法、当該情報記録媒体から情報を再生するための情報再生装置及び方法、このような記録及び再生の両方が可能である情報記録再生装置及び方法、記録又は再生制御用のコンピュータプログラム、並びに制御信号を含むデータ構造の技術分野に属する。
【背景技術】
【０００２】
主映像、音声、副映像、再生制御情報等の各種情報が記録された光ディスクとして、ＤＶＤが一般化している。ＤＶＤ規格によれば、主映像情報（ビデオデータ）、音声情報（オーディオデータ）及び副映像情報（サブピクチャーデータ）が再生制御情報（ナビゲーションデータ）と共に、各々パケット化されて、高能率符号化技術であるＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）規格のプログラムストリーム（Ｐｒｏｇｒａｍ  Ｓｔｒｅａｍ）形式でディスク上に多重記録されている。これらのうち主映像情報は、ＭＰＥＧビデオフォーマット（ＩＳＯ１３８１８−２）に従って圧縮されたデータが、一つのプログラムストリーム中に１ストリーム分だけ存在する。一方、音声情報は、複数の方式（即ち、リニアＰＣＭ、ＡＣ−３及びＭＰＥＧオーディオ等）で記録され、合計８ストリームまで、一つのプログラムストリーム中に存在可能である。副映像情報は、ビットマップで定義され且つランレングス方式で圧縮記録され、３２ストリームまで、一つのプログラムストリーム中に存在可能である。
【０００３】
また、ＭＰＥＧ２規格のトランスポートストリーム（Ｔｒａｎｓｐｏｒｔ  Ｓｔｒｅａｍ）形式が規格化されており、これは、データ伝送に適している。このトランスポートストリーム形式によれば、複数のエレメンタリーストリームが同時伝送される。例えば、一つの衛星電波に多数の衛星デジタル放送のテレビチャネルなど、複数の番組或いはプログラムが、時分割で多重化されて同時伝送される。
【０００４】
この種のＤＶＤのレコーダ用途として、ＤＶＤレコーダが市販されている。これは、入力される記録信号をビデオレコーディングフォーマットに変換して記録すると共に、その再生を制御するための制御情報或いは論理情報として、記録開始から停止までの記録単位を一つのタイトル（例えば、一本の映画、一本の番組など）として再生可能なように、一つのプレイリストを記録するように構成されている。
【０００５】
加えて、この種のＤＶＤのＲＯＭ用途として、例えば映画、アニメ、ゲーム等が予め録画されたものが販売されている。その中には、パレンタルブロックやアングルブロックのような複数のブロックが、ストリーム化されて記録されており、これらを選択或いは切替可能に構成されているＤＶＤ−ＲＯＭも販売されている。ここで「パレンタルブロック」とは、例えば、一本の映画などの同一タイトルに関して、成人向けバージョンに対応する映像部分或いは子供向けバージョンに対応する映像部分からなるブロックをいう。また「アングルブロック」とは、例えば、一本の映画などの同一タイトルに関して、様々な視点から撮影された映像部分からなるブロックをいう。
【０００６】
他方、テープ記録媒体を用いる記録装置としては、Ｄ−ＶＨＳ（デジタルＶＨＳ）方式のデジタルＶＣＲが存在する。係るデジタルＶＣＲは、セットトップボックス（ＳＴＢ）から出力されたストリーム信号を、そのままテープ媒体に記録し、これを再生するように構成されている。即ち、ある時間帯に同時に受信される複数の番組を、いわば「ある時間帯の番組群」という一つのタイトルで記録し、これらをあたかも受信時と同じように複数まとめて再生するように（即ち、チャネル切替可能に再生するように）構成されている。
【発明の開示】
【発明が解決しようとする課題】
【０００７】
しかしながら、上述したデジタルＶＣＲによれば、記録した後に再生されたストリーム信号は、ＳＴＢにより信号処理される必要がある。更に、これにより得られる再生出力を用いても、複数番組をリアルタイムで受信出力している状況と同等以上の機能は殆ど実行できないという問題点がある。
【０００８】
他方、上述した従来のＤＶＤでは、一ストリームの主映像を複数ストリームの音声情報や副映像情報等と共に多重記録できるに止まり、複数ストリームの主映像を多重記録するのに、向いていない。即ち、ＭＰＥＧ２のプログラムストリーム形式に準拠して記録を行うＤＶＤでは本質的に、上述したＭＰＥＧ２のトランスポートストリーム形式で同時に伝送されてくる複数番組或いは複数プログラムを多重記録できないという問題点がある。
【０００９】
そして、仮にトランスポートストリーム形式で伝送されてくる複数の番組を同時に記録可能であるような高転送レートであり且つ大記録容量或いは高密度記録のディスクが存在したとしても、上述したデジタルＶＣＲのように、光ディスクにストリーム信号をそのまま記録しようとすれば、一つのストリーム信号中には、時間軸が整列していない複数番組が含まれる可能性が高い。このため仮に、上述したＤＶＤレコーダのように、記録開始から停止までを、例えば「ある時間帯の番組群」などの論理的に一つのタイトルとして再生するために、一つのプレイリストを記録しただけでは、後に、当該一つのタイトルに含まれる複数の番組のうち、任意の時刻から開始される可能性がある、所望の番組を選択することは技術的に困難である。
【００１０】
このように従来のＤＶＤレコーダ用途によれば、デジタル放送等で一つのストリーム信号に含まれる複数の番組を同時に録画し再生しようとすると、後に例えばこれらのうちから任意の時刻から開始される所望のものをメニュー画面上で選択して再生するなど、所望の番組を再生することが困難であるという技術的問題点がある。
【００１１】
加えて、ＤＶＤ−ＲＯＭ用途によれば、例えば、コンテンツが実質同一であり、ビデオ解像度やパレンタルレベルやアングルなどが異なる複数のコンテンツ情報を記録する際にも、各コンテンツ情報に対するプレイリストを記録するだけである。よって、再生時にプレーヤは、各プレイリストを異なるタイトルのものと同じ扱いでユーザに提示してしまい、ユーザのコンテンツ選択に混乱を生じさせるという問題がある。
【００１２】
本発明は例えば上述の問題点に鑑みなされたものであり、例えば複数の番組、ビデオ解像度、パレンタルレベル、アングル等を含む、大量のコンテンツ情報を、一つのタイトルとして効率的に記録可能とし、更に比較的容易にしてそれらの番組等のうち所望のものを選択して再生可能とする情報記録媒体、情報記録装置及び方法、情報再生装置及び方法、情報記録再生装置及び方法、記録又は再生制御用のコンピュータプログラム、並びに制御信号を含むデータ構造を提供することを課題とする。
【課題を解決するための手段】
【００１３】
請求項１記載の情報記録媒体は、例えば上記課題を解決するために、複数のコンテンツ情報と、該複数のコンテンツ情報の再生シーケンスを規定する複数のプレイリスト情報を夫々含む複数のプレイリストセットと、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報とが記録される。      
【００１４】
請求項１３記載の情報記録装置は、例えば上記課題を解決するために、複数のコンテンツ情報を記録する第１記録手段と、該複数のコンテンツ情報の再生シーケンスを規定する複数のプレイリスト情報を夫々含む複数のプレイリストセットを記録する第２記録手段と、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録手段とを備える。
【００１５】
請求項１４記載の情報記録方法は、例えば上記課題を解決するために、複数のコンテンツ情報を記録する第１記録工程と、該複数のコンテンツ情報の再生シーケンスを規定する複数のプレイリスト情報を夫々含む複数のプレイリストセットを記録する第２記録工程と、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録工程とを備える。
【００１６】
請求項１５記載の情報再生装置は、例えば上記課題を解決するために、請求項１から１２のいずれか一項に記載の情報記録媒体を再生する情報再生装置であって、前記複数のコンテンツ情報、前記複数のプレイリストセット及び前記タイトル情報を再生可能な再生手段と、(i)前記再生手段により再生された複数のプレ
イリストセットの中から、前記再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段とを備える。
【００１７】
請求項１９記載の情報再生方法は、例えば上記課題を解決するために、請求項１から１２のいずれか一項に記載の情報記録媒体を再生する、前記複数のコンテンツ情報、前記複数のプレイリストセット及び前記タイトル情報を再生可能な再生手段を備えた情報再生装置における情報再生方法であって、前記再生手段により再生された複数のプレイリストセットの中から、前記再生手段により再生されたタイトル情報により指定された少なくとも一つを選択する第１制御工程と、該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する第２制御工程とを備える。
【００１８】
請求項２０記載の情報記録再生装置は、例えば上記課題を解決するために、複数のコンテンツ情報を記録する第１記録手段と、該複数のコンテンツ情報の再生シーケンスを規定する複数のプレイリスト情報を夫々含む複数のプレイリストセットを記録する第２記録手段と、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録手段と、前記複数のコンテンツ情報、前記複数のプレイリストセット及び前記タイトル情報を再生可能な再生手段と、(i)前記再生手段により再生された複数のプレイリストセットの
中から、前記再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段とを備える。
【００１９】
請求項２１記載の情報記録再生方法は、例えば上記課題を解決するために、複数のコンテンツ情報、複数のプレイリストセット及びタイトル情報を再生可能な再生手段を備えた情報記録再生装置における情報記録再生方法であって、複数のコンテンツ情報を記録する第１記録工程と、該複数のコンテンツ情報の再生シーケンスを規定する複数のプレイリスト情報を夫々含む複数のプレイリストセットを記録する第２記録工程と、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録工程と、前記再生手段により再生された複数のプレイリストセットの中から、前記再生手段により再生されたタイトル情報により指定された少なくとも一つを選択する第１制御工程と、該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する第２制御工程とを備える。
【００２０】
請求項２２記載の記録制御用のコンピュータプログラムは、例えば上記課題を解決するために、請求項１３に記載の情報記録装置に備えられたコンピュータを制御する記録制御用のコンピュータプログラムであって、該コンピュータを、前記第１記録手段、前記第２記録手段及び前記第３記録手段の少なくとも一部として機能させる。
【００２１】
請求項２３記載の再生制御用のコンピュータプログラムは、例えば上記課題を解決するために、請求項１５から１８のいずれか一項に記載の情報再生装置に備えられたコンピュータを制御する再生制御用のコンピュータプログラムであって、該コンピュータを、前記再生手段及び前記制御手段の少なくとも一部として機能させる。
【００２２】
請求項２４記載の記録再生制御用のコンピュータプログラムは、例えば上記課題を解決するために、請求項２０に記載の情報記録再生装置に備えられたコンピュータを制御する記録再生制御用のコンピュータプログラムであって、該コンピュータを、前記第１記録手段、前記第２記録手段、前記第３記録手段、前記再生手段及び前記制御手段の少なくとも一部として機能させる。
【００２３】
請求項２５記載の制御信号を含むデータ構造は、例えば上記課題を解決するために、複数のコンテンツ情報と、該複数のコンテンツ情報の再生シーケンスを規定する複数のプレイリスト情報を夫々含む複数のプレイリストセットと、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報とを有する。
【００２４】
本発明の作用及び他の利得は次に説明する実施の形態から明らかにされよう。
【発明を実施するための最良の形態】
【００２５】
本発明の情報記録媒体の実施形態は、複数のコンテンツ情報と、該複数のコンテンツ情報の再生シーケンスを規定する複数のプレイリスト情報を夫々含む複数のプレイリストセットと、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報とが記録されている。
【００２６】
本発明の情報記録媒体の実施形態によれば、複数のコンテンツ情報は、例えば、オブジェクトデータとして、オブジェクトデータファイルに格納される。ここに「コンテンツ情報」とは、例えば主映像情報（ビデオデータ）、音声情報（オーディオデータ）、副映像情報（サブピクチャデータ）等から構成される。そして、このような各種コンテンツ情報は、例えば前述のＭＰＥＧ２のトランスポートストリームの形式で多重化されている。若しくは、ＭＰＥＧ２のプログラムストリームで多重化されていてもよく、又は多重化されていなくてもよい。
【００２７】
複数のプレイリストセットは、例えば、プレイリスト情報ファイルに、プレイリストセット別にテーブル形式で格納される。プレイリストセットを構成する複数のプレイリスト情報は夫々、情報再生装置により論理的にアクセス可能な情報単位である。プレイリスト情報は、例えば論理的にアクセス可能なアイテムを指示するポインタ情報を含んでもよい。或いは、アイテムの集合を指定するポインタ情報を含んでもよい。ここで特に、複数のプレイリスト情報は、複数のコンテンツ情報の再生シーケンスを規定する。例えば、各プレイリスト情報は、複数のコンテンツ情報のうち、当該各プレイリスト情報に対応する一つのコンテンツ情報の再生シーケンスを規定する。
【００２８】
タイトル情報は、例えば、ディスク情報ファイルに、タイトル別にテーブル形式で格納される。そして、タイトル情報は通常、当該一つの情報記録媒体に対して複数存在し、例えば、ディスク情報ファイル内に複数格納される。タイトル情報は、コンテンツ情報の再生を制御するための再生制御情報の一部として機能し、複数のコンテンツ情報を、例えば映画１本、番組１本などの論理的に一まとまりの情報単位であるタイトルとして再生するように、対応する一つ又は複数のプレイリストセットを指定する。
【００２９】
当該情報記録媒体の記録時には、例えばＤＶＤレコーダ用途として、同一伝送波或いは同一伝送信号にストリーム化された複数番組が、前述のＤ−ＶＨＳの如くトランスポートストリーム等の一つ又は複数のストリームとして記録される。或いは、例えばＤＶＤ−ＲＯＭ用途として、ビデオ解像度、パレンタルレベル、アングルなどが異なるもののコンテンツ本体が実質同一である複数のコンテンツ情報が、ストリーム化されて記録される。
【００３０】
このような複数のコンテンツ情報を記録する際に、記録開始から停止までを論理的に一つのタイトルとして記録しつつ、これら複数のコンテンツ情報に対して関連する複数のプレイリスト情報を夫々含む複数のプレイリストセットが記録される。しかも、これら複数のプレイリストセットの中から、例えば番組別、ビデオ解像度、パレンタルレベル、アングルなど複数のコンテンツ情報別に、再生されるべきコンテンツ情報に対応するプレイリストセットを指定するタイトル情報が記録される。
【００３１】
従って、当該情報記録媒体の再生時には、タイトル情報により指定される各プレイリストセットに含まれる複数のプレイリスト情報のうち、いずれかのプレイリスト情報によって規定される再生シーケンスで、コンテンツ情報を再生すれば、例えばＤＶＤレコーダ用途或いはＤＶＤ−ＲＯＭ用において一つのタイトルとして記録された複数のコンテンツ情報のうちのいずれかが再生されることとなる。よって、例えばＤＶＤプレーヤ等の情報再生装置において、各プレイリストセットに含まれる複数のプレイリスト情報のうち、所望の番組、所望のビデオ解像度、所望のパレンタルレベル、所望のアングルなど、所望のコンテンツ情報に対応するものを選択するように制御を実行すれば、タイトルとして当該所望のコンテンツ情報を再生できることになる。
【００３２】
以上の結果、本実施形態によれば、例えば複数の番組、或いは複数のビデオ解像度やパレンタルレベルやアングル等を含む、大量のコンテンツ情報に対するプレイリストの中から関連するプレイリストを、一つのタイトルとして効率的に記録可能となる。更に比較的容易にして、それらの番組等のうち所望のものを選択して再生可能となる。
【００３３】
本発明の情報記録媒体の実施形態の一態様では、前記タイトル情報は、少なくとも一つのタイトルエレメントを含み、該タイトルエレメントは、前記再生されるべきコンテンツ情報に対応する少なくとも一つのプレイリストセットを指定する第１ポインタ情報を含む。
【００３４】
この態様によれば、当該情報記録媒体の再生時には、タイトルエレメントに含まれる第１ポインタ情報に従って、再生されるべきコンテンツ情報に対応するプレイリストセットを特定できる。そして、この特定されたプレイリストセットに含まれる複数のプレイリスト情報のうち、所望の番組等に対応するものを選択するように制御を実行すれば、タイトルエレメントとして当該所望のコンテンツ情報を再生できる。更に、このようなタイトルエレメントを一つ又は順次再生することで、一つのタイトルを再生可能となる。
【００３５】
このタイトルエレメントに係る態様では、前記タイトルエレメントは、前記第１ポインタ情報に加えて、(i)前記第１ポインタ情報により指定される一のプレ
イリストセットにより再生シーケンスが規定されるコンテンツ情報の再生前に実行されるべきコマンドを示す第１プリコマンド情報、(ii)前記一のプレイリストセットにより再生シーケンスが規定されるコンテンツ情報の再生後に実行されるべきコマンドを示す第１ポストコマンド情報、及び(iii)前記タイトルエレメン
トに係る再生の次の再生に係るタイトルエレメントを指定する第１ネクスト情報のうち、少なくとも一つを含むように構成してもよい。
【００３６】
このように構成すれば、当該情報記録媒体の再生時には、第１プリコマンド情報に従って、第１ポインタ情報で指定される一のプレイリストセットにより再生シーケンスが規定されるコンテンツ情報の、再生前に実行されるべきコマンドを実行できる。更に、第１ポストコマンド情報に従って、第１ポインタ情報で指定される一のプレイリストセットにより再生シーケンスが規定されるコンテンツ情報の、再生後に実行されるべきコマンドを実行できる。加えて、第１ネクスト情報に従って、当該再生中のタイトルエレメントの次のタイトルエレメントを再生できる。
【００３７】
第１ポストコマンド情報或いは後述の第２ポストコマンドは、例えばコンテンツ情報の分岐を命令するコマンド、次のタイトルを選ぶコマンド等の、動的な動きを指定するコマンドである。
【００３８】
他方、第１ネクスト情報或いは後述の第２ネクスト情報は、例えば、次のタイトルエレメントの番号が記述されているだけなど、これに基づく動作についてはＤＶＤプレーヤのシステムに依存する。即ち、簡略化のためにコマンド形態とされない情報であり、例えば、一律に次の特定タイトルエレメントや次の特定プレイリストエレメントへ移動させる旨など、静的な動きを示す情報である。
【００３９】
このようにタイトルエレメントが、第１ポインタ情報に加えて、第１プリコマンド情報等を含む場合更に、同一のプレイリストセットに含まれる複数のプレイリスト情報のうち、前記再生されるべきコンテンツ情報の再生シーケンスを規定する一つのプレイリスト情報が、前記第１プリコマンド情報によって選択されるように構成されてもよい。
【００４０】
このように構成すれば、当該情報記録媒体の再生時には、第１プリコマンド情報に従って、各プレイリストセットに含まれる複数のプレイリスト情報のうち、所望の番組、所望のパレンタルブロック、所望のアングルブロックなど、所望のコンテンツ情報に対応するものを選択する制御が可能となる。ここに第１プリコマンド情報は、例えば、複数のプレイリスト情報の夫々についての選択条件を示す選択条件情報を含み、これらの選択条件に応じたコマンドによって、再生時に一つのプレイリスト情報が選択されることになる。
【００４１】
この結果、例えばＤＶＤレコーダ用途においてもＤＶＤ−ＲＯＭ用途においても、複数の番組やブロックを含む大量のコンテンツ情報を、一つのタイトルとして効率的に記録でき、それらの番組やブロックのうち所望のものを選択して再生可能となる。
【００４２】
上述のタイトルエレメントに係る態様では、同一のプレイリストセットに含まれる複数のプレイリスト情報には夫々、固有の属性を示す属性情報が付加されており、前記タイトルエレメントは、前記同一のプレイリストセットに含まれる複数のプレイリスト情報のうち一つのプレイリスト情報を、前記属性情報に応じて選択可能である旨を示す選択可能フラグを更に含むように構成してもよい。
【００４３】
このように構成すれば、当該情報記録媒体の再生時には、選択可能フラグに従って、情報再生装置は選択処理を適宜実行可能となり、しかも、プレイリスト情報に付加された属性情報に応じて、各プレイリストセットに含まれる複数のプレイリスト情報のうち、所望の番組、所望のパレンタルブロック、所望のアングルブロックなど、所望のコンテンツ情報に対応するものを選択する制御が可能となる。例えば、選択可能フラグにより選択可能である旨が示されていれば、情報再生装置は、そのビデオ解像度等のシステムパラメータと属性情報により示されるプレイリスト情報の固有の属性とを照合して、一つのプレイリストセット中の、当該情報再生装置にとって最適なプレイリスト情報を選択することができる。他方、選択可能フラグにより選択可能である旨が示されていなければ、情報再生装置は、一意に選択されるべきプレイリスト情報によって、再生を行う。
【００４４】
この結果、例えばＤＶＤレコーダ用途においてもＤＶＤ−ＲＯＭ用途においても、複数の番組やブロックを含む大量のコンテンツ情報を、一つのタイトルとして効率的に記録でき、それらの番組やブロックのうち所望のものを選択して再生可能となる。
【００４５】
上述のタイトルエレメントに係る態様では、前記タイトルエレメントは、同一のプレイリストセットに含まれる複数のプレイリスト情報の夫々についての選択条件を示す選択条件情報を更に含むように構成してもよい。
【００４６】
このように構成すれば、当該情報記録媒体の再生時には、タイトルエレメントに含まれる各プレイリスト情報についての選択条件情報に従って、各プレイリストセットに含まれる複数のプレイリスト情報のうち、所望の番組、所望のパレンタルブロック、所望のアングルブロックなど、所望のコンテンツ情報に対応するものを選択する制御が可能となる。
【００４７】
この結果、例えばＤＶＤレコーダ用途においてもＤＶＤ−ＲＯＭ用途においても、複数の番組やブロックを含む大量のコンテンツ情報を、一つのタイトルとして効率的に記録でき、それらの番組やブロックのうち所望のものを選択して再生可能となる。
【００４８】
上述の同一のプレイリストセットにおけるプレイリスト情報の選択に係る態様では、前記同一のプレイリストセットに含まれる複数のプレイリスト情報は、いずれか一つによって同一のタイトルを構成可能な複数のコンテンツ情報の再生シーケンスを規定するように構成してもよい。
【００４９】
このように構成すれば、パレンタル再生可能な或いはアングル再生可能なＤＶＤ−ＲＯＭ用途において、当該情報記録媒体の再生時に、一つのタイトルとして記録された複数のパレンタルブロックやアングルブロック等のブロックのうちいずれか一つが再生可能となる。これにより、ユーザは、所望のパレンタルやアングルにて、一つのタイトルを再生できる。或いは、ＤＶＤレコーダ用途において、当該情報記録媒体の再生時に、例えば一つのタイトルとして記録された「ある時間帯の番組群」等のコンテンツ情報のうち、いずれか一つの番組が再生可能となる。これにより、ユーザは、例えば、一つのタイトル中で、所望の番組を選択して再生できる。
【００５０】
本発明の情報記録媒体の実施形態の他の態様では、前記プレイリスト情報は夫々、少なくとも一つのプレイリストエレメントを含み、該プレイリストエレメントは、前記コンテンツ情報を構成すると共に論理的にアクセス可能な再生単位であるアイテム情報を指定する第２ポインタ情報を含む。
【００５１】
この態様によれば、当該情報記録媒体の再生時には、プレイリストエレメントに含まれる第２ポインタ情報に従って、再生されるべきコンテンツ情報に対応するアイテム情報を特定できる。そして、この特定されたアイテム情報を再生すれば、プレイリストエレメントとして当該所望のコンテンツ情報を再生できる。更に、このようなプレイリストエレメントを一つ又は順次再生することで、一つのプレイリストを再生可能となる。
【００５２】
尚、「アイテム情報」とは、表示の最小単位であり、例えば、コンテンツ情報が静止画情報であれば、一枚以上の画像に対応する情報単位である。
【００５３】
このプレイリストエレメントに係る態様では、前記プレイリストエレメントは、前記第２ポインタ情報に加えて、(i)前記第２ポインタ情報により指定される
一のアイテム情報の再生前に実行されるべきコマンドを示す第２プリコマンド情報、(ii)前記一のアイテム情報の再生後に実行されるべきコマンドを示す第２ポストコマンド情報、及び(iii)前記プレイリストエレメントに係る再生の次の再
生に係るプレイリストエレメントを指定する第２ネクスト情報のうち、少なくとも一つを含むように構成してもよい。
【００５４】
このように構成すれば、当該情報記録媒体の再生時には、第２プリコマンド情報に従って、第２ポインタ情報で指定される一のアイテム情報の、再生前に実行されるべきコマンドを実行できる。更に、第２ポストコマンド情報に従って、第２ポインタ情報で指定される一のアイテム情報の、再生後に実行されるべきコマンドを実行できる。加えて、第２ネクスト情報に従って、当該再生中のプレイリストエレメントの次のプレイリストエレメントを再生できる。
【００５５】
本発明の情報記録媒体の実施形態の他の態様では、前記複数のプレイリストセットは夫々、前記複数のプレイリスト情報に加えて、前記コンテンツ情報を構成すると共に論理的にアクセス可能な再生単位であるアイテム情報を定義するアイテム定義テーブルを含み、前記複数のプレイリスト情報は夫々、前記アイテム情報の単位で、前記コンテンツ情報の再生シーケンスを規定する。
【００５６】
この態様によれば、当該情報記録媒体の再生時には、プレイリスト情報によってアイテム情報の単位で規定される再生シーケンスで、コンテンツ情報の再生が行われる。この際特に、アイテム情報は、アイテム定義テーブルにまとめて定義されているので、その参照は容易且つ迅速に実行可能であり、しかも同一アイテム情報を、同一プレイリストセット内の複数のプレイリスト情報によって使い回すことも可能となり有利である。
【００５７】
上述のアイテム情報に係る態様では、前記アイテム情報は、前記コンテンツ情報の再生開始アドレスをインポイント情報として規定すると共に再生終了アドレスをアウトポイント情報として規定する情報からなるように構成してもよい。
【００５８】
このように構成すれば、アイテム情報のうちインポイント情報に従って、対応するコンテンツ情報部分の再生開始を行うことが可能となる。アイテム情報のうちアウトポイント情報に従って、対応するコンテンツ情報部分の再生終了を行うことが可能となる。これらにより、各アイテム情報に対応するコンテンツ情報部分の再生が簡単に実行でき、このような再生の連続実行によって、一連のコンテンツ情報の再生が可能となる。
【００５９】
本発明の情報記録媒体の実施形態の他の態様では、前記複数のコンテンツ情報から構成される複数の部分ストリームを含んでなる全体ストリームが、物理的にアクセス可能な単位であると共に前記複数のコンテンツ情報の断片を夫々格納するパケット単位で多重化されてなり、前記複数のコンテンツ情報の再生を制御するための再生制御情報として、多重化される複数のパケットと前記複数の部分ストリームとの対応関係を定義する対応定義情報が更に記録されている。
【００６０】
この態様によれば、例えばＭＰＥＧ２のトランスポートストリームの少なくとも一部の如き全体ストリームは、エレメンタリーストリームの如き部分ストリームを複数含んでなる。即ち本願において１本の「部分ストリーム」とは、例えばエレメンタリーストリームである、一連のコンテンツ情報をなすビデオストリーム、オーディオストリーム、サブピクチャストリーム等の如き、１本のデータ配列或いは情報配列を指す。他方、本願において１本の「全体ストリーム」とは、複数本の部分ストリームが束ねられてなるデータ配列或いは情報配列を指す。そして、このような全体ストリームは、情報再生装置により物理的にアクセス可能な単位であるパケット（例えば、後述のＴＳパケット）単位で、当該情報記録媒体上に多重記録される。そして、コンテンツ情報は、情報再生装置により論理的にアクセス可能な単位であると共に、当該コンテンツ情報の断片を夫々格納する複数のパケットからなる。更に、対応定義情報（例えば、後述のエレメンタリーストリームパケットＩＤ（ＥＳ＿ＰＩＤ）を示すＥＳマップテーブル（ＥＳ＿Ｍａｐ  Ｔａｂｌｅ））が、コンテンツ情報の情報再生装置による再生を制御するための再生制御情報として更に記録されている。
【００６１】
従って、情報再生装置においては、係る対応定義情報に記述された、例えば同一時刻に多重化される複数のパケットと複数の部分ストリームとの対応関係に基づいて、情報記録媒体に多重記録された全体ストリームの一部からなるコンテンツ情報の組み合わせ又は単独から構成される、所望の番組やブロック等を再生可能となる。
【００６２】
尚、以上説明した情報記録媒体の実施形態では、例えば複数のコンテンツ情報が格納されるオブジェクトデータファイル、複数のプレイリストセットが格納されるプレイリスト情報ファイル、及び複数のタイトル情報が格納されるディスク情報ファイルは、当該情報記録媒体上における相互に別領域にまとめて記録されてもよい。そして、これらのうち、オブジェクトデータファイルは、ＭＰＥＧ２のトランスポートストリーム形式或いはプログラムストリーム形式で多重化記録されてよく、これらのうち、プレイリスト情報ファイル及びディスク情報ファイルについては、再生制御を迅速且つ容易に実行する観点からは、このように多重化記録されなくてもよい。
【００６３】
本発明の情報記録装置の実施形態は、複数のコンテンツ情報を記録する第１記録手段と、該複数のコンテンツ情報の再生シーケンスを規定する複数のプレイリスト情報を夫々含む複数のプレイリストセットを記録する第２記録手段と、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録手段とを備える。
【００６４】
本発明の情報記録装置の実施形態によれば、例えばコントローラ、エンコーダ、後述のＴＳオブジェクト生成器、光ピックアップ又はカッティングデバイス等からなる第１記録手段は、例えばＤＶＤ等からなる情報記録媒体上に、複数のコンテンツ情報を記録する。例えばコントローラ、エンコーダ、光ピックアップ又はカッティングデバイス等からなる第２記録手段は、例えばＤＶＤ等からなる情報記録媒体上に、複数のプレイリスト情報を夫々含む複数のプレイリストセットを記録する。例えばコントローラ、エンコーダ、光ピックアップ又はカッティングデバイス等からなる第３記録手段は、少なくとも一つのプレイリストセットを複数のプレイリストセットの中から指定するタイトル情報を記録する。
【００６５】
従って、上述した本発明の情報記録媒体の実施形態（但し、その各種態様を含む）を、比較的効率良く記録できる。
【００６６】
尚、上述した本発明の情報記録媒体の実施形態における各種態様に対応して、本発明の情報記録装置の実施形態も各種態様を採ることが可能である。
【００６７】
本発明の情報記録方法の実施形態は、複数のコンテンツ情報を記録する第１記録工程と、該複数のコンテンツ情報の再生シーケンスを規定する複数のプレイリスト情報を夫々含む複数のプレイリストセットを記録する第２記録工程と、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録工程とを備える。
【００６８】
本発明の情報記録方法の実施形態によれば、例えばコントローラ、エンコーダ、後述のＴＳオブジェクト生成器、光ピックアップ又はカッティングデバイス等を用いて、例えばＤＶＤ等からなる情報記録媒体上に、第１記録工程は、複数のコンテンツ情報を記録し、第２記録工程は、複数のプレイリストセットを記録し、第３記録工程は、タイトル情報を記録する。
【００６９】
従って、上述した本発明の情報記録媒体の実施形態（但し、その各種態様を含む）を、比較的効率良く記録できる。
【００７０】
尚、上述した本発明の情報記録媒体の実施形態における各種態様に対応して、本発明の情報記録方法の実施形態も各種態様を採ることが可能である。
【００７１】
本発明の情報再生装置の第１実施形態は、上述した本発明の情報記録媒体の実施形態（但し、その各種態様を含む）を再生する情報再生装置であって、前記複数のコンテンツ情報、前記複数のプレイリストセット及び前記タイトル情報を再生可能な再生手段と、(i)前記再生手段により再生された複数のプレイリストセ
ットの中から、前記再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段とを備える。
【００７２】
本発明の情報再生装置の第１実施形態によれば、例えばコントローラ、デコーダ、デマルチプレクサ、光ピックアップ等からなる再生手段は、コンテンツ情報、プレイリストセット及びタイトル情報を再生可能である。そして、例えばコントローラ等からなる制御手段は、再生された複数のプレイリストセットの中から、再生されたタイトル情報により指定された少なくとも一つを選択する。更に、この選択されたプレイリストセットに含まれる複数のプレイリスト情報のうち、再生されるべきコンテンツ情報の再生シーケンスを規定する一つのプレイリスト情報により規定される再生シーケンスで、複数のコンテンツ情報を再生するように再生手段を制御する。
【００７３】
従って、上述した本発明の情報記録媒体の実施形態（但し、その各種態様を含む）を、比較的効率良く再生できる。
【００７４】
尚、上述した本発明の情報記録媒体の実施形態における各種態様に対応して、本発明の情報再生装置の第１実施形態も各種態様を採ることが可能である。
【００７５】
本発明の情報再生装置の第２実施形態は、上述した本発明の情報記録媒体の実施形態のうち、第１プリコマンド情報に係る態様を再生する情報再生装置であって、前記複数のコンテンツ情報、前記複数のプレイリストセット及び前記タイトル情報を再生可能な再生手段と、(i)前記再生手段により再生された複数のプレ
イリストセットの中から、前記再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段とを備えており、前記制御手段は、前記第１プリコマンド情報に基づいて、前記選択されたプレイリストセットに含まれる複数のプレイリスト情報のうち、前記一つのプレイリスト情報を選択する。
【００７６】
本発明の情報再生装置の第２実施形態によれば、例えばコントローラ、デコーダ、デマルチプレクサ、光ピックアップ等からなる再生手段は、コンテンツ情報、プレイリストセット及びタイトル情報を再生可能である。そして、例えばコントローラ等からなる制御手段は、再生された複数のプレイリストセットの中から、再生されたタイトル情報により指定された少なくとも一つを選択する。ここで特に、制御手段は、この選択されたプレイリストセットに含まれる複数のプレイリスト情報のうち、再生されるべきコンテンツ情報の再生シーケンスを規定する一つのプレイリスト情報を、第１プリコマンド情報に基づいて選択する。更に、制御手段は、この選択されたプレイリスト情報により規定される再生シーケンスで、複数のコンテンツ情報を再生するように再生手段を制御する。
【００７７】
従って、上述した本発明の情報記録媒体の実施形態の第１プリコマンドに係る態様を、比較的効率良く再生できる。
【００７８】
尚、上述した本発明の情報記録媒体の実施形態における各種態様に対応して、本発明の情報再生装置の第２実施形態も各種態様を採ることが可能である。
【００７９】
本発明の情報再生装置の第３実施形態は、上述した本発明の情報記録媒体の実施形態のうち、選択可能フラグに係る態様を再生する情報再生装置であって、前記複数のコンテンツ情報、前記複数のプレイリストセット及び前記タイトル情報を再生可能な再生手段と、(i)前記再生手段により再生された複数のプレイリス
トセットの中から、前記再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段とを備えており、前記制御手段は、前記選択可能フラグにより選択可能である旨が示されている場合に、前記属性情報に基づいて、前記選択されたプレイリストセットに含まれる複数のプレイリスト情報のうち、前記一つのプレイリスト情報を選択する。
【００８０】
本発明の情報再生装置の第３実施形態によれば、例えばコントローラ、デコーダ、デマルチプレクサ、光ピックアップ等からなる再生手段は、コンテンツ情報、プレイリストセット及びタイトル情報を再生可能である。そして、例えばコントローラ等からなる制御手段は、再生された複数のプレイリストセットの中から、再生されたタイトル情報により指定された少なくとも一つを選択する。ここで特に、選択可能フラグにより選択可能である旨が示されている場合に、制御手段は、この選択されたプレイリストセットに含まれる複数のプレイリスト情報のうち、再生されるべきコンテンツ情報の再生シーケンスを規定する一つのプレイリスト情報を、属性情報に基づいて選択する。更に、制御手段は、この選択されたプレイリスト情報により規定される再生シーケンスで、複数のコンテンツ情報を再生するように再生手段を制御する。
【００８１】
従って、上述した本発明の情報記録媒体の実施形態の選択可能フラグに係る態様を、比較的効率良く再生できる。
【００８２】
尚、上述した本発明の情報記録媒体の実施形態における各種態様に対応して、本発明の情報再生装置の第３実施形態も各種態様を採ることが可能である。
【００８３】
本発明の情報再生装置の第４実施形態は、上述した本発明の情報記録媒体の実施形態のうち、選択条件情報に係る態様を再生する情報再生装置であって、前記複数のコンテンツ情報、前記複数のプレイリストセット及び前記タイトル情報を再生可能な再生手段と、(i)前記再生手段により再生された複数のプレイリスト
セットの中から、前記再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段とを備えており、前記制御手段は、前記選択条件情報に基づいて、前記選択されたプレイリストセットに含まれる複数のプレイリスト情報のうち、前記一つのプレイリスト情報を選択する。
【００８４】
本発明の情報再生装置の第４実施形態によれば、例えばコントローラ、デコーダ、デマルチプレクサ、光ピックアップ等からなる再生手段は、コンテンツ情報、プレイリストセット及びタイトル情報を再生可能である。そして、例えばコントローラ等からなる制御手段は、再生された複数のプレイリストセットの中から、再生されたタイトル情報により指定された少なくとも一つを選択する。ここで特に、制御手段は、この選択されたプレイリストセットに含まれる複数のプレイリスト情報のうち、再生されるべきコンテンツ情報の再生シーケンスを規定する一つのプレイリスト情報を、選択条件情報に基づいて選択する。更に、制御手段は、この選択されたプレイリスト情報により規定される再生シーケンスで、複数のコンテンツ情報を再生するように再生手段を制御する。
【００８５】
従って、上述した本発明の情報記録媒体の実施形態の選択条件情報に係る態様を、比較的効率良く再生できる。
【００８６】
尚、上述した本発明の情報記録媒体の実施形態における各種態様に対応して、本発明の情報再生装置の第４実施形態も各種態様を採ることが可能である。
【００８７】
本発明の情報再生方法の実施形態は、上述した本発明の情報記録媒体の実施形態（但し、その各種態様を含む）を再生する、前記複数のコンテンツ情報、前記複数のプレイリストセット及び前記タイトル情報を再生可能な再生手段を備えた情報再生装置における情報再生方法であって、前記再生手段により再生された複数のプレイリストセットの中から、前記再生手段により再生されたタイトル情報により指定された少なくとも一つを選択する第１制御工程と、該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する第２制御工程とを備える。
【００８８】
本発明の情報再生方法の実施形態によれば、例えばコントローラ、デコーダ、デマルチプレクサ、光ピックアップ等を用いて、第１制御工程は、再生された複数のプレイリストセットの中から、再生されたタイトル情報により指定された少なくとも一つを選択する。更に、第２制御工程は、この選択されたプレイリストセットに含まれる複数のプレイリスト情報のうち、再生されるべきコンテンツ情報の再生シーケンスを規定する一つのプレイリスト情報により規定される再生シーケンスで、複数のコンテンツ情報を再生するように再生手段を制御する。
【００８９】
従って、上述した本発明の情報記録媒体の実施形態（但し、その各種態様を含む）を、比較的効率良く再生できる。
【００９０】
尚、上述した本発明の情報記録媒体の実施形態における各種態様に対応して、本発明の情報再生方法の実施形態も各種態様を採ることが可能である。
【００９１】
本発明の情報記録再生装置の実施形態は、複数のコンテンツ情報を記録する第１記録手段と、該複数のコンテンツ情報の再生シーケンスを規定する複数のプレイリスト情報を夫々含む複数のプレイリストセットを記録する第２記録手段と、  前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録手段と、前記複数のコンテンツ情報、前記複数のプレイリストセット及び前記タイトル情報を再生可能な再生手段と、(i)前記再生手
段により再生された複数のプレイリストセットの中から、前記再生手段により再生されたタイトル情報により指定された少なくとも一つを選択し、(ii)該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する制御手段とを備える。
【００９２】
本発明の情報記録再生装置の実施形態によれば、上述した本発明の情報記録装置の実施形態及び情報再生装置の実施形態の両方を併せ持つので、上述した本発明の情報記録媒体の実施形態（但し、その各種態様を含む）を、比較的効率良く記録でき、再生できる。
【００９３】
尚、上述した本発明の情報記録媒体の実施形態における各種態様に対応して、本発明の情報記録再生装置の実施形態も各種態様を採ることが可能である。
【００９４】
本発明の情報記録再生方法の実施形態は、複数のコンテンツ情報、複数のプレイリストセット及びタイトル情報を再生可能な再生手段を備えた情報記録再生装置における情報記録再生方法であって、複数のコンテンツ情報を記録する第１記録工程と、該複数のコンテンツ情報の再生シーケンスを規定する複数のプレイリスト情報を夫々含む複数のプレイリストセットを記録する第２記録工程と、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録する第３記録工程と、前記再生手段により再生された複数のプレイリストセットの中から、前記再生手段により再生されたタイトル情報により指定された少なくとも一つを選択する第１制御工程と、該選択されたプレイリストセットに含まれる複数のプレイリスト情報のうち、前記再生されるべきコンテンツ情報の再生シーケンスを規定する一つのプレイリスト情報により規定される再生シーケンスで前記複数のコンテンツ情報を再生するように前記再生手段を制御する第２制御工程とを備える。
【００９５】
本発明の情報記録再生方法の実施形態によれば、上述した本発明の情報記録方法の実施形態及び情報再生方法の実施形態の両方を併せ持つので、上述した本発明の情報記録媒体の実施形態（但し、その各種態様を含む）を、比較的効率良く記録でき、再生できる。
【００９６】
尚、上述した本発明の情報記録媒体の実施形態における各種態様に対応して、本発明の情報記録再生方法の実施形態も各種態様を採ることが可能である。
【００９７】
本発明の記録制御用のコンピュータプログラムの実施形態は、上述した本発明の情報記録装置の実施形態（但し、その各種態様を含む）に備えられたコンピュータを制御する記録制御用のコンピュータプログラムであって、該コンピュータを、前記第１記録手段、前記第２記録手段及び前記第３記録手段の少なくとも一部として機能させる。
【００９８】
本発明の記録制御用のコンピュータプログラムによれば、当該コンピュータプ
ログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明に係る情報記録装置
の実施形態を比較的簡単に実現できる。
【００９９】
尚、上述した本発明の情報記録媒体の実施形態における各種態様に対応して、本発明の記録制御用のコンピュータプログラムも各種態様を採ることが可能である。
【０１００】
本発明の再生制御用のコンピュータプログラムの実施形態は、上述した本発明の情報再生装置の第１から第４実施形態（但し、その各種態様を含む）に備えられたコンピュータを制御する再生制御用のコンピュータプログラムであって、該コンピュータを、前記再生手段及び前記制御手段の少なくとも一部として機能させる。
【０１０１】
本発明の再生制御用のコンピュータプログラムによれば、当該コンピュータプ
ログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明に係る情報再生装置
の実施形態を比較的簡単に実現できる。
【０１０２】
尚、上述した本発明の情報記録媒体の実施形態における各種態様に対応して、本発明の再生制御用のコンピュータプログラムも各種態様を採ることが可能である。
【０１０３】
本発明の記録再生制御用のコンピュータプログラムの実施形態は、上述した本発明の情報記録再生装置の実施形態（但し、その各種態様を含む）に備えられたコンピュータを制御する記録再生制御用のコンピュータプログラムであって、該コンピュータを、前記第１記録手段、前記第２記録手段、前記第３記録手段、前記再生手段及び前記制御手段の少なくとも一部として機能させる。
【０１０４】
本発明の記録再生制御用のコンピュータプログラムによれば、当該コンピュー
タプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明に係る情報記録
再生装置の実施形態を比較的簡単に実現できる。
【０１０５】
尚、上述した本発明の情報記録媒体の実施形態における各種態様に対応して、本発明の記録再生制御用のコンピュータプログラムも各種態様を採ることが可能である。
【０１０６】
本発明の制御信号を含むデータ構造の実施形態は、複数のコンテンツ情報と、該複数のコンテンツ情報の再生シーケンスを規定する複数のプレイリスト情報を夫々含む複数のプレイリストセットと、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報とを有する。
【０１０７】
本発明の制御信号を含むデータ構造の実施形態によれば、上述した本発明の情報記録媒体の実施形態の場合と同様に、例えば複数の番組或いは複数のパレンタルブロックやアングルブロック等を含む、大量のコンテンツ情報を、一つのタイトルとして効率的に記録可能となり、更に比較的容易にして、それらの番組等のうち所望のものを選択して再生可能となる。
【０１０８】
尚、上述した本発明の情報記録媒体の実施形態における各種態様に対応して、本発明の制御信号を含むデータ構造の実施形態も各種態様を採ることが可能である。
【０１０９】
本実施形態におけるこのような作用、及び他の利得は次に説明する実施例から更に明らかにされる。
【実施例】
【０１１０】
（情報記録媒体）
図１から図１３を参照して、本発明の情報記録媒体の実施例について説明する。本実施例は、本発明の情報記録媒体を、記録（書き込み）及び再生（読み出し）が可能な型の光ディスクに適用したものである。
【０１１１】
先ず図１を参照して、本実施例の光ディスクの基本構造について説明する。ここに図１は、上側に複数のエリアを有する光ディスクの構造を概略平面図で示すと共に、下側にその径方向におけるエリア構造を概念図で対応付けて示すものである。
【０１１２】
図１に示すように、光ディスク１００は、例えば、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、データエリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウオブリングされてもよいし、これらのうち一方又は両方のトラックにプレピットが形成されていてもよい。尚、本発明は、このような三つのエリアを有する光ディスクには特に限定されない。
【０１１３】
次に図２を参照して、本実施例の光ディスクに記録されるトランスポートストリーム（ＴＳ）及びプログラムストリーム（ＰＳ）の構成について説明する。ここに、図２（ａ）は、比較のため、従来のＤＶＤにおけるＭＰＥＧ２のプログラムストリームの構成を図式的に示すものであり、図２（ｂ）は、ＭＰＥＧ２のトランスポートストリーム（ＴＳ）の構成を図式的に示すものである。更に、図２（ｃ）は、本発明におけるＭＰＥＧ２のプログラムストリームの構成を図式的に示すものである。
【０１１４】
図２（ａ）において、従来のＤＶＤに記録される一つのプログラムストリームは、時間軸ｔに沿って、主映像情報たるビデオデータ用のビデオストリームを１本だけ含み、更に、音声情報たるオーディオデータ用のオーディオストリームを最大で８本含み且つ副映像情報たるサブピクチャデータ用のサブピクチャストリームを最大で３２本含んでなる。即ち、任意の時刻ｔｘにおいて多重化されるビデオデータは、１本のビデオストリームのみに係るものであり、例えば複数のテレビ番組或いは複数の映画などに対応する複数本のビデオストリームを同時にプログラムストリームに含ませることはできない。映像を伴うテレビ番組等を多重化して伝送或いは記録するためには、各々のテレビ番組等のために、少なくとも１本のビデオストリームが必要となるので、１本しかビデオストリームが存在しないＤＶＤのプログラムストリーム形式では、複数のテレビ番組等を多重化して伝送或いは記録することはできないのである。
【０１１５】
図２（ｂ）において、本発明の光ディスク１００に記録される一つのトランスポートストリーム（ＴＳ）は、主映像情報たるビデオデータ用のエレメンタリーストリーム（ＥＳ）としてビデオストリームを複数本含んでなり、更に音声情報たるオーディオデータ用のエレメンタリーストリーム（ＥＳ）としてオーディオストリームを複数本含み且つ副映像情報たるサブピクチャデータ用のエレメンタリーストリーム（ＥＳ）としてサブピクチャストリームを複数本含んでなる。即ち、任意の時刻ｔｘにおいて多重化されるビデオデータは、複数本のビデオストリームに係るものであり、例えば複数のテレビ番組或いは複数の映画などに対応する複数のビデオストリームを同時にトランスポートストリームに含ませることが可能である。このように複数本のビデオストリームが存在するトランスポートストリーム形式では、複数のテレビ番組等を多重化して伝送或いは記録することが可能である。但し、現況のトランスポートストリームを採用するデジタル放送では、サブピクチャストリームについては伝送していない。
【０１１６】
図２（ｃ）において、本発明の光ディスク１００に記録される一つのプログラムストリーム（ＰＳ）は、主映像情報たるビデオデータ用のビデオストリームを複数本含んでなり、更に音声情報たるオーディオデータ用のオーディオストリームを複数本含み且つ副映像情報たるサブピクチャデータ用のサブピクチャストリームを複数本含んでなる。即ち、任意の時刻ｔｘにおいて多重化されるビデオデータは、複数本のビデオストリームに係るものであり、例えば複数のテレビ番組或いは複数の映画などに対応する複数のビデオストリームを同時にプログラムストリームに含ませることが可能である。
【０１１７】
尚、図２（ａ）から図２（ｃ）では説明の便宜上、ビデオストリーム、オーディオストリーム及びサブピクチャストリームを、この順に上から配列しているが、この順番は、後述の如くパケット単位で多重化される際の順番等に対応するものではない。トランスポートストリームでは、概念的には、例えば一つの番組に対して、１本のビデオストリーム、２本の音声ストリーム及び２本のサブピクチャストリームからなる一まとまりが対応している。
【０１１８】
上述した本実施例の光ディスク１００は、記録レートの制限内で、図２（ｂ）に示した如きトランスポートストリーム（ＴＳ）を多重記録可能に、即ち複数の番組或いはプログラムを同時に記録可能に構成されている。更に、このようなトランスポートストリームに加えて又は代えて、同一光ディスク１００上に、図２（ｃ）に示した如きプログラムストリーム（ＰＳ）を多重記録可能に構成されている。
【０１１９】
次に図３から図１０を参照して、光ディスク１００上に記録されるデータの構造について説明する。ここに、図３は、光ディスク１００上に記録されるデータ構造を模式的に示すものである。図４は、図３に示した各タイトル内におけるデータ構造の詳細を模式的に示すものである。図５及び図６は夫々、図３に示した各プレイ（Ｐ）リストセット内におけるデータ構造の詳細を模式的に示すものである。図７は、図６に示した各アイテムにおけるデータ構造の詳細を模式的に示すものである。図８は、図４に示した各タイトルエレメント内におけるデータの論理構成を模式的に示すものであり、図９は、各プレイリストセットをプレイリスト一つから構成する場合における、図４に示した各タイトルエレメント内におけるデータの論理構成を模式的に示すものである。図１０は、図３に示した各オブジェクト内におけるデータ構造の詳細を模式的に示すものである。
【０１２０】
以下の説明において、「タイトル」とは、複数の「プレイリスト」を連続して実行する再生単位であり、例えば、映画１本、テレビ番組１本などの論理的に大きなまとまりを持った単位である。「プレイリストセット」とは、「プレイリスト」の束をいう。例えば、アングル再生やパレンタル再生における相互に切替可能な特定関係を有する複数のコンテンツ情報を再生するためのプレイリストの束や、同時間帯に放送され且つまとめて記録された複数番組に係るコンテンツ情報を再生するためのプレイリストの束である。或いは、同一タイトルについて、ハイビジョン対応、ディスプレイの解像度、サラウンドスピーカ対応、スピーカ配列など、情報再生システムにおいて要求される映像再生機能（ビデオパーフォーマンス）別や音声再生機能（オーディオパーフォーマンス）別など、要求機能別に用意された各種コンテンツ情報を再生するためのプレイリストの束である。「プレイリスト」とは、「オブジェクト」の再生に必要な情報を格納した情報であり、オブジェクトへアクセスするためのオブジェクトの再生範囲に関する情報が各々格納された複数の「アイテム」で構成されている。そして、「オブジェクト」とは、上述したＭＰＥＧ２のトランスポートストリームを構成するコンテンツの実体情報である。
【０１２１】
図３において、光ディスク１００は、論理的構造として、ディスク情報ファイル１１０、プレイ（Ｐ）リスト情報ファイル１２０、オブジェクト情報ファイル１３０及びオブジェクトデータファイル１４０の４種類のファイルを備えており、これらのファイルを管理するためのファイルシステム１０５を更に備えている。尚、図３は、光ディスク１００上における物理的なデータ配置を直接示しているものではないが、図３に示す配列順序を、図１に示す配列順序に対応するように記録すること、即ち、ファイルシステム１０５等をリードインエリア１０４に続いてデータ記録エリア１０６に記録し、更にオブジェクトデータファイル１４０等をデータ記録エリア１０６に記録することも可能である。図１に示したリードインエリア１０４やリードアウトエリア１０８が存在せずとも、図３に示したファイル構造は構築可能である。
【０１２２】
ディスク情報ファイル１１０は、光ディスク１００全体に関する総合的な情報を格納するファイルであり、ディスク総合情報１１２と、タイトル情報テーブル１１４と、その他の情報１１８とを格納する。ディスク総合情報１１２は、例えば光ディスク１００内の総タイトル数等を格納する。タイトル情報テーブル１１４は、タイトルポインタ１１４−１と、これにより識別番号又は記録アドレスが示される複数のタイトル２００（タイトル＃１〜＃ｍ）を含んで構成されている。各タイトル２００には、論理情報として、各タイトルのタイプ（例えば、シーケンシャル再生型、分岐型など）や、各タイトルを構成するプレイ（Ｐ）リスト番号をタイトル毎に格納する。
【０１２３】
図４に示すように各タイトル２００は、より具体的には例えば、タイトル総合情報２００−１と、複数のタイトルエレメント２００−２と、その他の情報２００−５とを含んで構成されている。更に、各タイトルエレメント２００−２は、プリコマンド２００ＰＲと、プレイリストセットへのポインタ２００ＰＴと、ポストコマンド２００ＰＳと、その他の情報２００−６とから構成されている。
【０１２４】
ここに、本発明に係る第１ポインタ情報の一例たるポインタ２００ＰＴは、当該ポインタ２００ＰＴを含むタイトルエレメント２００−２に基づいて再生されるべきコンテンツ情報に対応する、プレイリスト情報ファイル１２０内に格納されたプレイリストセット１２６Ｓの識別番号を示す。なお、ポインタ２００ＰＴは、タイトルエレメント２００−２に基づいて再生されるべきコンテンツ情報に対応するプレイリストセット１２６Ｓの記録位置を示す情報であっても良い。本発明に係る第１プリコマンドの一例たるプリコマンド２００ＰＲは、ポインタ２００ＰＴにより指定される一のプレイリストセット１２６Ｓにより再生シーケンスが規定されるコンテンツ情報の再生前に実行されるべきコマンドを示す。本発明に係る第１ポストコマンドの一例たるポストコマンド２００ＰＳは、該一のプレイリストセットにより再生シーケンスが規定されるコンテンツ情報の再生後に実行されるべきコマンドを示す。タイトルエレメント２００−２に含まれるその他の情報２００−５は、例えば、タイトルエレメントに係る再生の次の再生に係るタイトルエレメントを指定するネクスト情報を含む。
【０１２５】
従って、後述する情報再生装置による当該情報記録媒体の再生時には、ポインタ２００ＰＴに従ってプレイリストセット１２６Ｓにアクセスして、それに含まれる複数のプレイリスト１２６のうち、所望の番組等に対応するものを選択するように制御を実行すれば、タイトルエレメント２００−２として当該所望のコンテンツ情報を再生できる。更に、このようなタイトルエレメント２００−２を一つ又は順次再生することで、一つのタイトル２００を再生可能となる。更に、プリコマンド２００ＰＲに従って、ポインタ２００ＰＴで指定される一のプレイリストセット１２６Ｓにより再生シーケンスが規定されるコンテンツ情報の、再生前に実行されるべきコマンドを実行できる。更に、ポストコマンド２００ＰＳに従って、ポインタ２００ＰＴで指定される一のプレイリストセット１２６Ｓにより再生シーケンスが規定されるコンテンツ情報の、再生後に実行されるべきコマンドを実行できる。ポストコマンド２００ＰＳは、例えばコンテンツ情報の分岐を命令するコマンド、次のタイトルを選ぶコマンド等である。加えて、その他の情報２００−５に含まれるネクスト情報に従って、当該再生中のタイトルエレメント２００−２の次のタイトルエレメント２００−２を再生できる。
【０１２６】
再び図３において、プレイリスト情報ファイル１２０は、各プレイリストの論理的構成を示すプレイ（Ｐ）リスト情報テーブル１２１を格納し、これは、プレイ（Ｐ）リスト管理情報１２２と、プレイ（Ｐ）リストセットポインタ１２４と、複数のプレイ（Ｐ）リストセット１２６Ｓ（Ｐリストセット＃１〜＃ｎ）と、その他の情報１２８とに分かれている。このプレイリスト情報テーブル１２１には、プレイリストセット番号順に各プレイリストセット１２６Ｓの論理情報を格納する。言い換えれば、各プレイリストセット１２６Ｓの格納順番がプレイリストセット番号である。また、上述したタイトル情報テーブル１１４で、同一のプレイリストセット１２６Ｓを、複数のタイトル２００から参照することも可能である。即ち、タイトル＃ｑとタイトル＃ｒとが同じプレイリストセット＃ｐを使用する場合にも、プレイリスト情報テーブル１２１中のプレイリストセット＃ｐを、タイトル情報テーブル１１４でポイントするように構成してもよい。
【０１２７】
図５に示すように、プレイリストセット１２６Ｓは、プレイリストセット総合情報１２６−１と、複数のプレイリスト１２６（プレイリスト＃１〜＃ｘ）と、アイテム定義テーブル１２６−３と、その他の情報１２６−４とを含んで構成されている。そして、各プレイリスト１２６は、複数のプレイリストエレメント１２６−２（プレイリストエレメント＃１〜＃ｙ）と、その他の情報１２６−５とを含んで構成されている。更に、各プレイリストエレメント１２６−２は、プリコマンド１２６ＰＲと、アイテムへのポインタ１２６ＰＴと、ポストコマンド１２６ＰＳと、その他の情報１２６−６とから構成されている。
【０１２８】
ここに、本発明に係る第２ポインタ情報の一例たるポインタ１２６ＰＴは、当該ポインタ１２６ＰＴを含むプレイリストエレメント１２６−２に基づいて再生されるべきコンテンツ情報に対応する、アイテム定義テーブル１２６−３により定義されるアイテムの識別番号を示す。なお、ポインタ１２６ＰＴは、アイテム定義テーブル１２６−３により定義されるアイテムの記録位置であっても良い。      
【０１２９】
図６に例示したように、プレイリストセット１２６Ｓにおいて、アイテム定義テーブル１２６−３内には、複数のアイテム２０４が定義されている。これらは、複数のプレイリスト１２６によって共有されている。また、プレイリストセット総合情報１２６−１として、当該プレイリストセット１２６Ｓ内に含まれる各プレイリスト１２６の名称、再生時間などのＵＩ（ユーザインタフェース情報）、各アイテム定義テーブル１２６−３へのアドレス情報等が記述されている。
【０１３０】
再び図５において、本発明に係る第２プリコマンドの一例たるプリコマンド１２６ＰＲは、ポインタ１２６ＰＴにより指定される一のアイテム２０４の再生前に実行されるべきコマンドを示す。本発明に係る第２ポストコマンドの一例たるポストコマンド１２６ＰＳは、該一のアイテム２０４の再生後に実行されるべきコマンドを示す。プレイリストエレメント１２６−２に含まれるその他の情報１２６−６は、例えば、プレイリストエレメント１２６−２に係る再生の次の再生に係るプレイリストエレメント１２６−２を指定する第ネクスト情報を含む。
【０１３１】
図７に例示したように、アイテム２０４は、表示の最小単位である。アイテム２０４には、オブジェクトの開始アドレスを示す「ＩＮポイント情報」及び終了アドレスを示す「ＯＵＴポイント情報」が記述されている。尚、これらの「ＩＮポイント情報」及び「ＯＵＴポイント情報」は夫々、直接アドレスを示してもよいし、再生時間軸上における時間或いは時刻など間接的にアドレスを示してもよい。図中、“ストリームオブジェクト＃ｍ”で示されたオブジェクトに対して複数のＥＳ（エレメンタリーストリーム）が多重化されている場合には、アイテム２０４の指定は、特定のＥＳの組合せ或いは特定のＥＳを指定することになる。
【０１３２】
図８に例示したように、タイトルエレメント２００−２は、論理的に、プリコマンド２００ＰＲ或いは１２６ＰＲと、ポインタ２００ＰＴにより選択されるプレイリストセット１２６Ｓと、ポストコマンド２００ＰＳ或いはポストコマンド１２６ＰＳと、ネクスト情報２００−６Ｎとから構成されている。従って、例えばビデオ解像度など、システムで再生可能な何らかの条件等に従って、プレイリストセット１２６Ｓ中からプレイリスト１２６を選択する処理が実行される。
【０１３３】
但し図９に例示したように、ポインタ２００ＰＴにより指定されるプレイリストセットが単一のプレイリストからなる場合には、即ち図３に示したプレイリストセット１２６Ｓを単一のプレイリスト１２６に置き換えた場合には、タイトルエレメント２００−２は、論理的に、プリコマンド２００ＰＲ或いは１２６ＰＲと、再生時に再生されるプレイリスト１２６と、ポストコマンド２００ＰＳ或いはポストコマンド１２６ＰＳと、ネクスト情報２００−６Ｎとから構成されてもよい。この場合には、システムで再生可能な条件等に拘わらず、プレイリストセットが再生用に指定されれば、単一のプレイリスト１２６の再生処理が実行されることになる。
【０１３４】
再び図３において、オブジェクト情報ファイル１３０は、各プレイリスト１２６内に構成される各アイテムに対するオブジェクトデータファイル１４０中の格納位置（即ち、再生対象の論理アドレス）や、そのアイテムの再生に関する各種属性情報が格納される。本実施例では特に、オブジェクト情報ファイル１３０は、後に詳述する複数のＡＵ（アソシエートユニット）情報１３２Ｉ（ＡＵ＃１〜ＡＵ#ｑ）を含んでなるＡＵテーブル１３１と、ＥＳ（エレメンタリーストリー
ム）マップテーブル１３４と、その他の情報１３８とを格納する。
【０１３５】
オブジェクトデータファイル１４０は、トランスポートストリーム（ＴＳ）別のＴＳオブジェクト１４２（ＴＳ＃１オブジェクト〜ＴＳ＃ｓオブジェクト）、即ち実際に再生するコンテンツの実体データを、複数格納する。
【０１３６】
尚、図３を参照して説明した４種類のファイルは、更に夫々複数のファイルに分けて格納することも可能であり、これらを全てファイルシステム１０５により管理してもよい。例えば、オブジェクトデータファイル１４０を、オブジェクトデータファイル＃１、オブジェクトデータファイル＃２、…というように複数に分けることも可能である。
【０１３７】
図１０に示すように、論理的に再生可能な単位である図３に示したＴＳオブジェクト１４２は、例えば６ｋＢのデータ量を夫々有する複数のアラインドユニット１４３に分割されてなる。アラインドユニット１４３の先頭は、ＴＳオブジェクト１４２の先頭に一致（アラインド）されている。各アラインドユニット１４３は更に、１９２Ｂのデータ量を夫々有する複数のソースパケット１４４に細分化されている。ソースパケット１４４は、物理的に再生可能な単位であり、この単位即ちパケット単位で、光ディスク１００上のデータのうち少なくともビデオデータ、オーディオデータ及びサブピクチャデータは多重化されており、その他の情報についても同様に多重化されてよい。各ソースパケット１４４は、４Ｂのデータ量を有する、再生時間軸上におけるＴＳ（トランスポートストリーム）パケットの再生処理開始時刻を示すパケットアライバルタイムスタンプ等の再生を制御するための制御情報１４５と、１８８Ｂのデータ量を有するＴＳパケット１４６とを含んでなる。ＴＳパケット１４６（“ＴＳパケットペイロード”ともいう）は、パケットヘッダ１４６ａをその先頭部に有し、ビデオデータがパケット化されて「ビデオパケット」とされるか、オーディオデータがパケット化されて「オーディオパケット」とされるか、又はサブピクチャデータがパケット化されて「サブピクチャパケット」とされるか、若しくは、その他のデータがパケット化される。
【０１３８】
次に図１１及び図１２を参照して、図２（ｂ）に示した如きトランスポートストリーム形式のビデオデータ、オーディオデータ、サブピクチャデータ等が、図４に示したＴＳパケット１４６により、光ディスク１００上に多重記録される点について説明する。ここに、図１１は、上段のプログラム＃１（ＰＧ１）用のエレメンタリーストリーム（ＥＳ）と中段のプログラム＃２（ＰＧ２）用のエレメンタリーストリーム（ＥＳ）とが多重化されて、これら２つのプログラム（ＰＧ１＆２）用のトランスポートストリーム（ＴＳ）が構成される様子を、横軸を時間軸として概念的に示すものであり、図１２は、一つのトランスポートストリーム（ＴＳ）内に多重化されたＴＳパケットのイメージを、時間の沿ったパケット配列として概念的に示すものである。
【０１３９】
図１１に示すように、プログラム＃１用のエレメンタリーストリーム（上段）は、例えば、プログラム＃１用のビデオデータがパケット化されたＴＳパケット１４６が時間軸（横軸）に対して離散的に配列されてなる。プログラム＃２用のエレメンタリーストリーム（中段）は、例えば、プログラム＃２用のビデオデータがパケット化されたＴＳパケット１４６が時間軸（横軸）に対して離散的に配列されてなる。そして、これらのＴＳパケット１４６が多重化されて、これら二つのプログラム用のトランスポートストリーム（下段）が構築されている。尚、図１１では説明の便宜上省略しているが、図２（ｂ）に示したように、実際には、プログラム＃１用のエレメンタリーストリームとして、オーディオデータがパケット化されたＴＳパケットからなるエレメンタリーストリームやサブピクチャデータがパケット化されたＴＳパケットからなるサブピクチャストリームが同様に多重化されてもよく、更にこれらに加えて、プログラム＃２用のエレメンタリーストリームとして、オーディオデータがパケット化されたＴＳパケットからなるエレメンタリーストリームやサブピクチャデータがパケット化されたＴＳパケットからなるサブピクチャストリームが同様に多重化されてもよい。
【０１４０】
図１２に示すように、本実施例では、このように多重化された多数のＴＳパケット１４６から、一つのＴＳストリームが構築される。そして、多数のＴＳパケット１４６は、このように多重化された形で、パケットアライバルタイムスタンプ等１４５の情報を付加し、光ディスク１００上に多重記録される。尚、図１２では、プログラム＃ｉ（ｉ＝１，２，３）を構成するデータからなるＴＳパケット１４６に対して、ｊ（ｊ＝１，２，…）をプログラムを構成するストリーム別の順序を示す番号として、“Ｅｌｅｍｅｎｔ（ｉ０ｊ）”で示しており、この（ｉ０ｊ）は、エレメンタリーストリーム別のＴＳパケット１４６の識別番号たるパケットＩＤとされている。このパケットＩＤは、複数のＴＳパケット１４６が同一時刻に多重化されても相互に区別可能なように、同一時刻に多重化される複数のＴＳパケット１４６間では固有の値が付与されている。
【０１４１】
また図１２では、ＰＡＴ（プログラムアソシエーションテーブル）及びＰＭＴ（プログラムマップテーブル）も、ＴＳパケット１４６単位でパケット化され且つ多重化されている。これらのうちＰＡＴは、複数のＰＭＴのパケットＩＤを示すテーブルを格納している。特にＰＡＴは、所定のパケットＩＤとして、図１２のように（０００）が付与されることがＭＰＥＧ２規格で規定されている。即ち、同一時刻に多重化された多数のパケットのうち、パケットＩＤが（０００）であるＴＳパケット１４６として、ＰＡＴがパケット化されたＴＳパケット１４６が検出されるように構成されている。そして、ＰＭＴは、一又は複数のプログラムについて各プログラムを構成するエレメンタリーストリーム別のパケットＩＤを示すテーブルを格納している。ＰＭＴには、任意のパケットＩＤを付与可能であるが、それらのパケットＩＤは、上述の如くパケットＩＤが（０００）として検出可能なＰＡＴにより示されている。従って、同一時刻に多重化された多数のパケットのうち、ＰＭＴがパケット化されたＴＳパケット１４６（即ち、図１２でパケットＩＤ（１００）、（２００）、（３００）が付与されたＴＳパケット１４６）が、ＰＡＴにより検出されるように構成されている。
【０１４２】
図１２に示した如きトランスポートストリームがデジタル伝送されて来た場合、チューナは、このように構成されたＰＡＴ及びＰＭＴを参照することにより、多重化されたパケットの中から所望のエレメンタリーストリームに対応するものを抜き出して、その復調が可能となるのである。
【０１４３】
そして、本実施例では、図１０に示したＴＳオブジェクト１４２内に格納されるＴＳパケット１４６として、このようなＰＡＴやＰＭＴのパケットを含む。即ち、図１２に示した如きトランスポートストリームが伝送されてきた際に、そのまま光ディスク１００上に記録できるという大きな利点が得られる。
【０１４４】
更に、本実施例では、このように記録されたＰＡＴやＰＭＴについては光ディスク１００の再生時には参照することなく、代わりに図３に示した後に詳述するＡＵテーブル１３１及びＥＳマップテーブル１３４を参照することによって、より効率的な再生を可能とし、複雑なマルチビジョン再生等にも対処可能とする。このために本実施例では、例えば復調時や記録時にＰＡＴ及びＰＭＴを参照することで得られるエレメンタリーストリームとパケットとの対応関係を、ＡＵテーブル１３１及びＥＳマップテーブル１３４の形で且つパケット化或いは多重化しないで、オブジェクト情報ファイル１３０内に格納するのである。
【０１４５】
次に図１３を参照して、光ディスク１００上のデータの論理構成について説明する。ここに、図１３は、光ディスク１００上のデータの論理構成を、論理階層からオブジェト階層或いは実体階層への展開を中心に模式的に示したものである。
【０１４６】
図１３において、光ディスク１００には、例えば映画１本、テレビ番組１本などの論理的に大きなまとまりであるタイトル２００が、一又は複数記録されている。各タイトル２００は、一又は複数のタイトルエレメント２００−２を含む。各タイトルエレメント２００−２は、複数のプレイリストセット１２６Ｓから論理的に構成されている。各タイトルエレメント２００−２内で、複数のプレイリストセット１２６Ｓはシーケンシャル構造を有してもよいし、分岐構造を有してもよい。
【０１４７】
尚、単純な論理構成の場合、一つのタイトルエレメント２００は、一つのプレイリストセット１２６Ｓから構成され、更に一つのプレイリストセット１２６Ｓは、一つのプレイリスト１２６から構成される。また、一つのプレイリストセット１２６Ｓを複数のタイトルエレメント２００−２或いは、複数のタイトル２００から参照することも可能である。
【０１４８】
各プレイリスト１２６は、複数のアイテム（プレイアイテム）２０４から論理的に構成されている。各プレイリスト１２６内で、複数のアイテム２０４は、シーケンシャル構造を有してもよいし、分岐構造を有してもよい。また、一つのアイテム２０４を複数のプレイリスト１２６から参照することも可能である。アイテム２０４に記述された前述のＩＮポイント情報及びＯＵＴポイント情報により、ＴＳオブジェクト１４２の再生範囲が論理的に指定される。そして、論理的に指定された再生範囲についてオブジェクト情報１３０ｄを参照することにより、最終的にはファイルシステムを介して、ＴＳオブジェクト１４２の再生範囲が物理的に指定される。ここに、オブジェクト情報１３０ｄは、ＴＳオブジェクト１４２の属性情報、ＴＳオブジェクト１４２内におけるデータサーチに必要なＥＳアドレス情報１３４ｄ等のＴＳオブジェクト１４２を再生するための各種情報を含む（尚、図３に示したＥＳマップテーブル１３４は、このようなＥＳアドレス情報１３４ｄを複数含んでなる）。
【０１４９】
そして、後述の情報記録再生装置によるＴＳオブジェクト１４２の再生時には、アイテム２０４及びオブジェクト情報１３０ｄから、当該ＴＳオブジェクト１４２における再生すべき物理的なアドレスが取得され、所望のエレメンタリーストリームの再生が実行される。
【０１５０】
尚、図１３のオブジェクト情報１３０ｄ内に示した、ＥＳアドレス情報１３４ｄを複数含むＥＰ（エントリーパス）マップは、ここでは、ＡＵテーブル１３１とＥＳマップテーブル１３４との両者をまとめたオブジェクト情報テーブルのことを指している。
【０１５１】
このように本実施例では、アイテム２０４に記述されたＩＮポイント情報及びＯＵＴポイント情報並びにオブジェクト情報１３０ｄのＥＳマップテーブル１３４（図３参照）内に記述されたＥＳアドレス情報１３４ｄにより、再生シーケンスにおける論理階層からオブジェクト階層への関連付けが実行され、エレメンタリーストリームの再生が可能とされる。
【０１５２】
以上詳述したように本実施例では、光ディスク１００上においてＴＳパケット１４６の単位で多重記録されており、これにより、図２（ｂ）に示したような多数のエレメンタリーストリームを含んでなる、トランスポートストリームを光ディスク１００上に多重記録可能とされている。本実施例によれば、デジタル放送を光ディスク１００に記録する場合、記録レートの制限内で複数の番組或いは複数のプログラムを同時に記録可能であるが、ここでは一つのＴＳオブジェクト１４２へ複数の番組或いは複数のプログラムを多重化して記録する方法を採用している。以下、このような記録処理を実行可能な情報記録再生装置の実施例について説明する。
【０１５３】
（情報記録再生装置）
次に図１４から図１９を参照して、本発明の情報記録再生装置の実施例について説明する。ここに、図１４は、情報記録再生装置のブロック図であり、図１５から図１９は、その動作を示すフローチャートである。
【０１５４】
図１４において、情報記録再生装置５００は、再生系と記録系とに大別されており、上述した光ディスク１００に情報を記録可能であり且つこれに記録された情報を再生可能に構成されている。本実施例では、このように情報記録再生装置５００は、記録再生用であるが、基本的にその記録系部分から本発明の記録装置の実施例を構成可能であり、他方、基本的にその再生系部分から本発明の情報再生装置の実施例を構成可能である。
【０１５５】
情報記録再生装置５００は、光ピックアップ５０２、サーボユニット５０３、スピンドルモータ５０４、復調器５０６、デマルチプレクサ５０８、ビデオデコーダ５１１、オーディオデコーダ５１２、サブピクチャデコーダ５１３、加算器５１４、静止画デコーダ５１５、システムコントローラ５２０、メモリ５３０、メモリ５４０、メモリ５５０、変調器６０６、フォーマッタ６０８、ＴＳオブジェクト生成器６１０、ビデオエンコーダ６１１、オーディオエンコーダ６１２及びサブピクチャエンコーダ６１３を含んで構成されている。システムコントローラ５２０は、ファイル（Ｆｉｌｅ）システム／論理構造データ生成器５２１及びファイル（Ｆｉｌｅ）システム／論理構造データ判読器５２２を備えている。更にシステムコントローラ５２０には、メモリ５３０及び、タイトル情報等のユーザ入力を行うためのユーザインタフェース７２０が接続されている。
【０１５６】
これらの構成要素のうち、復調器５０６、デマルチプレクサ５０８、ビデオデコーダ５１１、オーディオデコーダ５１２、サブピクチャデコーダ５１３、加算器５１４、静止画デコーダ５１５、メモリ５４０及びメモリ５５０から概ね再生系が構成されている。他方、これらの構成要素のうち、変調器６０６、フォーマッタ６０８、ＴＳオブジェクト生成器６１０、ビデオエンコーダ６１１、オーディオエンコーダ６１２及びサブピクチャエンコーダ６１３から概ね記録系が構成されている。そして、光ピックアップ５０２、サーボユニット５０３、スピンドルモータ５０４、システムコントローラ５２０及びメモリ５３０、並びにタイトル情報等のユーザ入力を行うためのユーザインタフェース７２０は、概ね再生系及び記録系の両方に共用される。更に記録系については、ＴＳオブジェクトデータ源７００（若しくは、ＰＳオブジェクトデータ源７００、又はビットマップデータ、ＪＰＥＧデータ等の静止画データ源７００）と、ビデオデータ源７１１、オーディオデータ源７１２及びサブピクチャデータ源７１３とが用意される。また、システムコントローラ５２０内に設けられるファイルシステム／論理構造データ生成器５２１は、主に記録系で用いられ、ファイルシステム／論理構造判読器５２２は、主に再生系で用いられる。
【０１５７】
光ピックアップ５０２は、光ディスク１００に対してレーザービーム等の光ビームＬＢを、再生時には読み取り光として第１のパワーで照射し、記録時には書き込み光として第２のパワーで且つ変調させながら照射する。サーボユニット５０３は、再生時及び記録時に、システムコントローラ５２０から出力される制御信号Ｓｃ１による制御を受けて、光ピックアップ５０２におけるフォーカスサーボ、トラッキングサーボ等を行うと共にスピンドルモータ５０４におけるスピンドルサーボを行う。スピンドルモータ５０４は、サーボユニット５０３によりスピンドルサーボを受けつつ所定速度で光ディスク１００を回転させるように構成されている。
【０１５８】
（ｉ）  記録系の構成及び動作：
次に図１４から図１８を参照して、情報記録再生装置５００のうち記録系を構成する各構成要素における具体的な構成及びそれらの動作を、場合分けして説明する。
【０１５９】
（ｉ−１）  作成済みのＴＳオブジェクトを使用する場合：
この場合について図１４及び図１５を参照して説明する。
【０１６０】
図１４において、ＴＳオブジェクトデータ源７００は、例えばビデオテープ、メモリ等の記録ストレージからなり、ＴＳオブジェクトデータＤ１を格納する。
【０１６１】
図１５では先ず、ＴＳオブジェクトデータＤ１を使用して光ディスク１００上に論理的に構成する各タイトルの情報（例えば、プレイリストの構成内容等）は、ユーザインタフェース７２０から、タイトル情報等のユーザ入力Ｉ２として、システムコントローラ５２０に入力される。そして、システムコントローラ５２０は、ユーザインタフェース７２０からのタイトル情報等のユーザ入力Ｉ２を取り込む（ステップＳ２１：Ｙｅｓ及びステップＳ２２）。この際、ユーザインタフェース７２０では、システムコントローラ５２０からの制御信号Ｓｃ４による制御を受けて、例えばタイトルメニュー画面を介しての選択など、記録しようとする内容に応じた入力処理が可能とされている。尚、ユーザ入力が既に実行済み等の場合には（ステップＳ２１：Ｎｏ）、これらの処理は省略される。
【０１６２】
次に、ＴＳオブジェクトデータ源７００は、システムコントローラ５２０からのデータ読み出しを指示する制御信号Ｓｃ８による制御を受けて、ＴＳオブジェクトデータＤ１を出力する。そして、システムコントローラ５２０は、ＴＳオブジェクト源７００からＴＳオブジェクトデータＤ１を取り込み（ステップＳ２３）、そのファイルシステム／論理構造データ生成器５２１内のＴＳ解析機能によって、例えば前述の如くビデオデータ等と共にパケット化されたＰＡＴ、ＰＭＴ等に基づいて、ＴＳオブジェクトデータＤ１におけるデータ配列（例えば、記録データ長等）、各エレメンタリーストリームの構成の解析（例えば、後述のＥＳ＿ＰＩＤ（エレメンタリーストリーム・パケット識別番号）の理解）などを行う（ステップＳ２４）。
【０１６３】
続いて、システムコントローラ５２０は、取り込んだタイトル情報等のユーザ入力Ｉ２並びに、ＴＳオブジェクトデータＤ１のデータ配列及び各エレメンタリーストリームの解析結果から、そのファイルシステム／論理構造データ生成器５２１によって、論理情報ファイルデータＤ４として、ディスク情報ファイル１１０、プレイリスト情報ファイル１２０、オブジェクト情報ファイル１３０及びファイルシステム１０５（図３参照）を作成する（ステップＳ２５）。メモリ５３０は、このような論理情報ファイルデータＤ４を作成する際に用いられる。
【０１６４】
尚、ＴＳオブジェクトデータＤ１のデータ配列及び各エレメンタリーストリームの構成情報等についてのデータを予め用意しておく等のバリエーションは当然に種々考えられるが、それらも本実施例の範囲内である。
【０１６５】
図１４において、フォーマッタ６０８は、ＴＳオブジェクトデータＤ１と論理情報ファイルデータＤ４とを共に、光ディスク１００上に格納するためのデータ配列フォーマットを行う装置である。より具体的には、フォーマッタ６０８は、スイッチＳｗ１及びスイッチＳｗ２を備えてなり、システムコントローラ５２０からのスイッチ制御信号Ｓｃ５によりスイッチング制御されて、ＴＳオブジェクトデータＤ１のフォーマット時には、スイッチＳｗ１を（１）側に接続して且つスイッチＳｗ２を（１）側に接続して、ＴＳオブジェクトデータ源７００からのＴＳオブジェクトデータＤ１を出力する。尚、ＴＳオブジェクトデータＤ１の送出制御については、システムコントローラ５２０からの制御信号Ｓｃ８により行われる。他方、フォーマッタ６０８は、論理情報ファイルデータＤ４のフォーマット時には、システムコントローラ５２０からのスイッチ制御信号Ｓｃ５によりスイッチング制御されて、スイッチＳｗ２を（２）側に接続して、論理情報ファイルデータＤ４を出力するように構成されている。
【０１６６】
図１５のステップＳ２６では、このように構成されたフォーマッタ６０８によるスイッチング制御によって、(i)ステップＳ２５でファイルシステム／論理構
造データ生成器５２１からの論理情報ファイルデータＤ４又は(ii)ＴＳオブジェクトデータ源７００からのＴＳオブジェクトデータＤ１が、フォーマッタ６０８を介して出力される（ステップＳ２６）。
【０１６７】
フォーマッタ６０８からの選択出力は、ディスクイメージデータＤ５として変調器６０６に送出され、変調器６０６により変調されて、光ピックアップ５０２を介して光ディスク１００上に記録される（ステップＳ２７）。この際のディスク記録制御についても、システムコントローラ５２０により実行される。
【０１６８】
そして、ステップＳ２５で生成された論理情報ファイルデータＤ４と、これに対応するＴＳオブジェクトデータＤ１とが共に記録済みでなければ、ステップＳ２６に戻って、その記録を引き続いて行う（ステップＳ２８：Ｎｏ）。尚、論理情報ファイルデータＤ４とこれに対応するＴＳオブジェクトデータＤ１との記録順についてはどちらが先でも後でもよい。
【０１６９】
他方、これら両方共に記録済みであれば、光ディスク１００に対する記録を終了すべきか否かを終了コマンドの有無等に基づき判定し（ステップＳ２９）、終了すべきでない場合には（ステップＳ２９：Ｎｏ）ステップＳ２１に戻って記録処理を続ける。他方、終了すべき場合には（ステップＳ２９：Ｙｅｓ）、一連の記録処理を終了する。
【０１７０】
以上のように、情報記録再生装置５００により、作成済みのＴＳオブジェクトを使用する場合における記録処理が行われる。
【０１７１】
尚、図１５に示した例では、ステップＳ２５で論理情報ファイルデータＤ４を作成した後に、ステップＳ２６で論理情報ファイルデータＤ４とこれに対応するＴＳオブジェクトデータＤ１とのデータ出力を実行しているが、ステップＳ２５以前に、ＴＳオブジェクトデータＤ１の出力や光ディスク１００上への記録を実行しておき、この記録後に或いはこの記録と並行して、論理情報ファイルデータＤ４を生成や記録することも可能である。
【０１７２】
加えて、ＴＳオブジェクトデータ源７００に代えて、ＰＳオブジェクトデータ源又は静止画データ源が用いられてもよい。この場合には、ＴＳオブジェクトデータＤ１に代えて、ＰＳオブジェクトデータ又は、ビットマップデータ、ＪＰＥＧデータ等の静止画データに対して、以上に説明したＴＳオブジェクトデータＤ１に対する記録処理が同様に行われ、オブジェクトデータファイル１４０内に、ＴＳオブジェクト１４２に加えて又は代えて（図３参照）、ＰＳオブジェクトデータ又は静止画オブジェクトデータが格納される。そして、ＰＳオブジェクトデータ又は静止画オブジェクトデータに関する各種論理情報が、システムコントローラ５２０の制御下で生成されて、ディスク情報ファイル１１０、プレイリスト情報ファイル１２０、オブジェクト情報ファイル１３０等内に格納される。
【０１７３】
（ｉ−２）  放送中のトランスポートストリームを受信して記録する場合：
この場合について図１４及び図１６を参照して説明する。尚、図１６において、図１５と同様のステップには同様のステップ番号を付し、それらの説明は適宜省略する。
【０１７４】
この場合も、上述の「作成済みのＴＳオブジェクトを使用する場合」とほぼ同様な処理が行われる。従って、これと異なる点を中心に以下説明する。
【０１７５】
放送中のトランスポートストリームを受信して記録する場合には、ＴＳオブジェクトデータ源７００は、例えば放送中のデジタル放送を受信する受信器（セットトップボックス）からなり、ＴＳオブジェクトデータＤ１を受信して、リアルタイムでフォーマッタ６０８に送出する（ステップＳ４１）。これと同時に、受信時に解読された番組構成情報及び後述のＥＳ＿ＰＩＤ情報を含む受信情報Ｄ３（即ち、受信器とシステムコントローラ５２０のインタフェースとを介して送り込まれるデータに相当する情報）がシステムコントローラ５２０に取り込まれ、メモリ５３０に格納される（ステップＳ４４）。
【０１７６】
一方で、フォーマッタ６０８に出力されたＴＳオブジェクトデータＤ１は、フォーマッタ６０８のスイッチング制御により変調器６０６に出力され（ステップＳ４２）、光ディスク１００に記録される（ステップＳ４３）。
【０１７７】
これらと並行して、受信時に取り込まれてメモリ５３０に格納されている受信情報Ｄ３に含まれる番組構成情報及びＥＳ＿ＰＩＤ情報を用いて、ファイルシステム／論理構造生成器５２１により論理情報ファイルデータＤ４を作成する（ステップＳ２４及びステップＳ２５）。そして一連のＴＳオブジェクトデータＤ１の記録終了後に、この論理情報ファイルデータＤ４を光ディスク１００に追加記録する（ステップＳ４６及びＳ４７）。尚、これらステップＳ２４及びＳ２５の処理についても、ステップＳ４３の終了後に行ってもよい。
【０１７８】
更に、必要に応じて（例えばタイトルの一部を編集する場合など）、ユーザインタフェース７２０からのタイトル情報等のユーザ入力Ｉ２を、メモリ５３０に格納されていた番組構成情報及びＥＳ＿ＰＩＤ情報に加えることで、システムコントローラ５２０により論理情報ファイルデータＤ４を作成し、これを光ディスク１００に追加記録してもよい。
【０１７９】
以上のように、情報記録再生装置５００により、放送中のトランスポートストリームを受信してリアルタイムに記録する場合における記録処理が行われる。
【０１８０】
尚、放送時の全受信データをアーカイブ装置に一旦格納した後に、これをＴＳオブジェクト源７００として用いれば、上述した「作成済みのＴＳオブジェクトを使用する場合」と同様な処理で足りる。
【０１８１】
（ｉ−３）  ビデオ、オーディオ及びサブピクチャデータを記録する場合：
この場合について図１４及び図１７を参照して説明する。尚、図１７において、図１５と同様のステップには同様のステップ番号を付し、それらの説明は適宜省略する。
【０１８２】
予め別々に用意したビデオデータ、オーディオデータ及びサブピクチャデータを記録する場合には、ビデオデータ源７１１、オーディオデータ源７１２及びサブピクチャデータ源７１３は夫々、例えばビデオテープ、メモリ等の記録ストレージからなり、ビデオデータＤＶ、オーディオデータＤＡ及びサブピクチャデータＤＳを夫々格納する。
【０１８３】
これらのデータ源は、システムコントローラ５２０からの、データ読み出しを指示する制御信号Ｓｃ８による制御を受けて、ビデオデータＤＶ、オーディオデータＤＡ及びサブピクチャデータＤＳを夫々、ビデオエンコーダ６１１、オーディオエンコーダ６１２及びサブピクチャエンコーダ６１３に送出する（ステップＳ６１）。そして、これらのビデオエンコーダ６１１、オーディオエンコーダ６１２及びサブピクチャエンコーダ６１３により、所定種類のエンコード処理を実行する（ステップＳ６２）。
【０１８４】
ＴＳオブジェクト生成器６１０は、システムコントローラ５２０からの制御信号Ｓｃ６による制御を受けて、このようにエンコードされたデータを、トランスポートストリームをなすＴＳオブジェクトデータに変換する（ステップＳ６３）。この際、各ＴＳオブジェクトデータのデータ配列情報（例えば記録データ長等）や各エレメンタリーストリームの構成情報（例えば、後述のＥＳ＿ＰＩＤ等）は、ＴＳオブジェクト生成器６１０から情報Ｉ６としてシステムコントローラ５２０に送出され、メモリ５３０に格納される（ステップＳ６６）。
【０１８５】
他方、ＴＳオブジェクト生成器６１０により生成されたＴＳオブジェクトデータは、フォーマッタ６０８のスイッチＳｗ１の（２）側に送出される。即ち、フォーマッタ６０８は、ＴＳオブジェクト生成器６１０からのＴＳオブジェクトデータのフォーマット時には、システムコントローラ５２０からのスイッチ制御信号Ｓｃ５によりスイッチング制御されて、スイッチＳｗ１を（２）側にし且つスイッチＳｗ２を（１）側に接続することで、当該ＴＳオブジェクトデータを出力する（ステップＳ６４）。続いて、このＴＳオブジェクトデータは、変調器６０６を介して、光ディスク１００に記録される（ステップＳ６５）。
【０１８６】
これらと並行して、情報Ｉ６としてメモリ５３０に取り込まれた各ＴＳオブジェクトデータのデータ配列情報や各エレメンタリーストリームの構成情報を用いて、ファイルシステム／論理構造生成器５２１により論理情報ファイルデータＤ４を作成する（ステップＳ２４及びステップＳ２５）。そして一連のＴＳオブジェクトデータＤ２の記録終了後に、これを光ディスク１００に追加記録する（ステップＳ６７及びＳ６８）。尚、ステップＳ２４及びＳ２５の処理についても、ステップＳ６５の終了後に行うようにしてもよい。
【０１８７】
更に、必要に応じて（例えばタイトルの一部を編集する場合など）、ユーザインタフェース７２０からのタイトル情報等のユーザ入力Ｉ２を、これらのメモリ５３０に格納されていた情報に加えることで、ファイルシステム／論理構造生成器５２１により論理情報ファイルデータＤ４を作成し、これを光ディスク１００に追加記録してもよい。
【０１８８】
以上のように、情報記録再生装置５００により、予め別々に用意したビデオデータ、オーディオデータ及びサブピクチャデータを記録する場合における記録処理が行われる。
【０１８９】
尚、この記録処理は、ユーザの所有する任意のコンテンツを記録する際にも応用可能である。
【０１９０】
（ｉ−４）  オーサリングによりデータを記録する場合：
この場合について図１４及び図１８を参照して説明する。尚、図１８において、図１５と同様のステップには同様のステップ番号を付し、それらの説明は適宜省略する。
【０１９１】
この場合は、上述した三つの場合における記録処理を組み合わせることにより、予めオーサリングシステムが、ＴＳオブジェクトの生成、論理情報ファイルデータの生成等を行った後（ステップＳ８１）、フォーマッタ６０８で行うスイッチング制御の処理までを終了させる（ステップＳ８２）。その後、この作業により得られた情報を、ディスク原盤カッティングマシン前後に装備された変調器６０６に、ディスクイメージデータＤ５として送出し（ステップＳ８３）、このカッティングマシンにより原盤作成を行う（ステップＳ８４）。
【０１９２】
（ｉｉ）  再生系の構成及び動作：
次に図１４及び図１９を参照して、情報記録再生装置５００のうち再生系を構成する各構成要素における具体的な構成及びそれらの動作を説明する。
【０１９３】
図１４において、ユーザインタフェース７２０によって、光ディスク１００から再生すべきタイトルやその再生条件等が、タイトル情報等のユーザ入力Ｉ２としてシステムコントローラに入力される。この際、ユーザインタフェース７２０では、システムコントローラ５２０からの制御信号Ｓｃ４による制御を受けて、例えばタイトルメニュー画面を介しての選択など、再生しようとする内容に応じた入力処理が可能とされている。
【０１９４】
これを受けて、システムコントローラ５２０は、光ディスク１００に対するディスク再生制御を行い、光ピックアップ５０２は、読み取り信号Ｓ７を復調器５０６に送出する。
【０１９５】
復調器５０６は、この読み取り信号Ｓ７から光ディスク１００に記録された記録信号を復調し、復調データＤ８として出力する。この復調データＤ８に含まれる、多重化されていない情報部分としての論理情報ファイルデータ（即ち、図３に示したファイルシステム１０５、ディスク情報ファイル１１０、Ｐリスト情報ファイル１２０及びオブジェクト情報ファイル１３０）は、システムコントローラ５２０に供給される。この論理情報ファイルデータに基づいて、システムコントローラ５２０は、再生アドレスの決定処理、光ピックアップ５０２の制御等の各種再生制御を実行する。
【０１９６】
他方、復調データＤ８に、多重化された情報部分としてのＴＳオブジェクトデータが含まれているか又は静止画データが含まれているか、若しくは両者が含まれているかに応じて、切替スイッチＳＷ３は、システムコントローラ５２０からの制御信号Ｓｃ１０による制御を受けて、（１）側たるデマルチプレクサ５０８側に切り替えられるか、又は（２）側たる静止画デコーダ５１５側に切り替えられる。これにより選択的に、ＴＳオブジェクトデータをデマルチプレクサ５０８に供給し、静止画データを静止画デコーダ５１５に供給する。
【０１９７】
そして、復調データＤ８に含まれる、多重化された情報部分としてのＴＳオブジェクトデータについては、デマルチプレクサ５０８が、システムコントローラ５２０からの制御信号Ｓｃ２による制御を受けてデマルチプレクスする。ここでは、システムコントローラ５２０の再生制御によって再生位置アドレスへのアクセスが終了した際に、デマルチプレクスを開始させるように制御信号Ｓｃ２を送信する。
【０１９８】
デマルチプレクサ５０８からは、ビデオパケット、オーディオパケット及びサブピクチャパケットが夫々送出されて、ビデオデコーダ５１１、オーディオデコーダ５１２及びサブピクチャデコーダ５１３に供給される。そして、ビデオデータＤＶ、オーディオデータＤＡ及びサブピクチャデータＤＳが夫々復号化される。この際、サブピクチャデータＤＳについては、メモリ５４０を介して加算器５１４に供給される。メモリ５４０からは、システムコントローラ５２０からの制御信号Ｓｃ５による制御を受けて、所定のタイミングで或いは選択的に、サブピクチャデータＤＳが出力され、ビデオデータＤＶとのスーパーインポーズが適宜行われる。即ち、サブピクチャデコーダ５１３から出力されたサブピクチャデータをそのままスーパーインポーズする場合に比べて、スーパーインポーズのタイミングやスーパーインポーズの要否を制御できる。例えば、制御信号Ｓｃ５を用いた出力制御によって、主映像上に、サブピクチャを用いた字幕を適宜表示させたりさせなかったり、或いはサブピクチャを用いたメニュー画面を適宜表示させたりさせなかったりすることも可能となる。
【０１９９】
尚、図６に示したトランスポートストリームに含まれる、ＰＡＴ或いはＰＭＴがパケット化されたパケットについては夫々、復調データＤ８の一部として含まれているが、デマルチプレクサ５０８で破棄される。
【０２００】
加算器５１４は、システムコントローラ５２０からのミキシングを指示する制御信号Ｓｃ３による制御を受けて、ビデオデコーダ５１１及びサブピクチャデコーダ５１３で夫々復号化されたビデオデータＤＶ及びサブピクチャデータＤＳを、所定タイミングでミキシング或いはスーパーインポーズする。その結果は、ビデオ出力として、当該情報記録再生装置５００から例えばテレビモニタへ出力される。
【０２０１】
他方、オーディオデコーダ５１２で復号化されたオーディオデータＤＡは、オーディオ出力として、当該情報記録再生装置５００から、例えば外部スピーカへ出力される。
【０２０２】
このようなビデオデータＤＶやサブピクチャデータＤＳの再生処理に代えて又は加えて、復調データＤ８に静止画データが含まれる場合には、当該静止画データは、システムコントローラ５２０からの制御信号Ｓｃ１０による制御を受ける切替スイッチＳＷ３を介して、静止画デコーダ５１５に供給される。そして、デコードされたビットマップデータ、ＪＰＥＧデータ等の静止画データは、システムコントローラ５２０からの制御信号Ｓｃ１１による制御を受けて、切替スイッチＳＷ４を介して加算器５１４にそのまま加算される。或いは、切替スイッチＳＷ４を介してメモリ５５０に一旦蓄積される。メモリ５５０からは、システムコントローラ５２０からの制御信号Ｓｃ１２による制御を受けて所定のタイミングで或いは選択的に静止画データが出力されて、切替スイッチＳＷ５を介して加算器５１４に供給される。これにより、静止画データと、ビデオデータＤＶやサブピクチャデータＤＳとのスーパーインポーズが適宜行われる。即ち、静止画デコーダ５１５から出力された静止画データをそのままスーパーインポーズする場合に比べて、スーパーインポーズのタイミングやスーパーインポーズの要否を制御できる。例えば、制御信号Ｓｃ１２を用いた出力制御によって、主映像上や副映像上に、静止画データを用いた、例えばメニュー画面又はウインドウ画面などの静止画若しくは背景画としての静止画を適宜表示させたり、させなかったりすることも可能となる。
【０２０３】
加えて、システムコントローラ５２０からの制御信号Ｓｃ１３による制御を受けて、（２）側に切り替えられた切替スイッチＳＷ５を介して、不図示の経路で別途、静止画データが出力されてもよい。或いは、（２）側に切り替えられることで、切替スイッチＳＷ５から何らの静止画データが出力されなくてもよい。
【０２０４】
ここで、図１９のフローチャートを更に参照して、システムコントローラ５２０による再生処理ルーチンの具体例について説明する。
【０２０５】
図１９において、初期状態として、再生系による光ディスク１００の認識及びファイルシステム１０５（図３参照）によるボリューム構造やファイル構造の認識は、既にシステムコントローラ５２０及びその内のファイルシステム／論理構造判読器５２２にて終了しているものとする。ここでは、ディスク情報ファイル１１０の中のディスク総合情報１１２から、総タイトル数を取得し、その中の一つのタイトル２００を選択する以降の処理フローについて説明する。
【０２０６】
先ず、ユーザインタフェース７２０によって、タイトル２００の選択が行われる（ステップＳ２１１）。これに応じて、ファイルシステム／論理構造判読器５２２の判読結果から、システムコントローラ５２０による再生シーケンスに関する情報の取得が行われる。尚、当該タイトル２００の選択においては、ユーザによるリモコン等を用いた外部入力操作によって、タイトル２００を構成する複数のタイトルエレメント２００−２（図４参照）のうち所望のものが選択されてもよいし、情報記録再生装置５００に設定されるシステムパラメータ等に応じて、一つのタイトルエレメント２００−２が自動的に選択されてもよい。
【０２０７】
次に、この選択されたタイトル２００（タイトルエレメント２００−２）に対応するプレイリストセット１２６Ｓを構成する複数のプレイリスト１２６の内容が、取得される。ここでは、論理階層の処理として、各プレイリスト１２６の構造とそれを構成する各アイテム２０４の情報（図５、図６及び図１３参照）の取得等が行われる（ステップＳ２１２）。
【０２０８】
次に、ステップＳ２１２で取得された複数のプレイリスト１２６の中から、再生すべきプレイリスト１２６の内容が取得される。ここでは例えば、先ずプレイリスト＃１から再生が開始されるものとし、これに対応するプレイリスト１２６の内容が取得される（ステップＳ２１３）。プレイリスト１２６の内容とは、一又は複数のプレイリストエレメント１２６−２（図５参照）等であり、当該ステップＳ２１３の取得処理では、係るプレイリストエレメント１２６−２等の取得が行われる。
【０２０９】
続いて、このプレイリスト１２６に含まれるプリコマンド１２６ＰＲ（図５参照）が実行される（ステップＳ２１４）。尚、プリコマンド１２６ＰＲによって、プレイリストセット１２６Ｓを構成する一定関係を有する複数のプレイリスト１２６のうちの一つを選択することも可能である。また、プレイリスト１２６を構成するプレイリストエレメント１２６−２がプリコマンド１２６ＰＲを有していなければ、この処理は省略される。
【０２１０】
次に、ステップＳ２１３で取得されたプレイリスト１２６により特定されるアイテム２０４（図５〜図７参照）に基づいて、再生すべきＴＳオブジェクト１４２（図３及び図１０参照）を決定する（ステップＳ２１５）。より具体的には、アイテム２０４に基づいて、再生対象であるＴＳオブジェクト１４２に係るオブジェクト情報ファイル１３０（図３参照）の取得を実行し、再生すべきＴＳオブジェクト１４２のストリーム番号、アドレス等を特定する。
【０２１１】
尚、本実施例では、後述するＡＵ（アソシエートユニット）情報１３２Ｉ及びＰＵ（プレゼンテーションユニット）情報３０２Ｉも、オブジェクト情報ファイル１３０に格納された情報として取得される。これらの取得された情報により、前述した論理階層からオブジェクト階層への関連付け（図１３参照）が行われるのである。
【０２１２】
次に、ステップＳ２１５で決定されたＴＳオブジェクト１４２の再生が実際に開始される。即ち、論理階層での処理に基づいて、オブジェクト階層の処理が開始される（ステップＳ２１６）。
【０２１３】
ＴＳオブジェクト１４２の再生処理中、再生すべきプレイリスト１２６を構成する次のアイテム２０４が存在するか否かが判定される（ステップＳ２１７）。そして、次のアイテム２０４が存在する限り（ステップＳ２１７：Ｙｅｓ）、ステップＳ２１５に戻って、上述したＴＳオブジェクト１４２の決定及び再生処理が繰り返される。
【０２１４】
他方、ステップＳ２１７の判定において、次のアイテム２０４が存在しなければ（ステップＳ２１７：Ｎｏ）、実行中のプレイリスト１２６に対応するポストコマンド１２６ＰＳ（図５参照）が実行される（ステップＳ２１８）。尚、プレイリスト１２６を構成するプレイリストエレメント１２６−２がポストコマンド１２６ＰＳを有していなければ、この処理は省略される。
【０２１５】
その後、選択中のタイトル２００を構成する次のプレイリスト１２６が存在するか否かが判定される（ステップＳ２１９）。ここで存在すれば（ステップＳ２１９：Ｙｅｓ）、ステップＳ２１３に戻って、再生すべきプレイリスト１２６の取得以降の処理が繰り返して実行される。
【０２１６】
他方、ステップＳ２１９の判定において、次のプレイリスト１２６が存在しなければ（ステップＳ２１９：Ｎｏ）、即ちステップＳ２１１におけるタイトル２００の選択に応じて再生すべき全プレイリスト１２６の再生が完了していれば、一連の再生処理を終了する。
【０２１７】
以上説明したように、本実施例の情報記録再生装置５００による光ディスク１００の再生処理が行われる。
【０２１８】
本実施例では特に、以上説明した（ｉ）記録系の構成及び動作においては、例えばＤＶＤ−ＲＯＭ用途の場合（即ち（ｉ−４）等の場合）、複数のパレンタルブロックやアングルブロック等の複数のブロックをなすコンテンツ情報が、トランスポートストリーム等として記録される。また、例えばＤＶＤレコーダ用途の場合（即ち（ｉ−２）等の場合）、同一伝送波或いは同一伝送信号にストリーム化された複数番組をなすコンテンツ情報が、トランスポートストリーム等として記録される。或いは、同一タイトルについて、ハイビジョン対応のコンテンツ情報とノーマル映像対応のコンテンツ情報、サラウンドスピーカ対応のコンテンツ情報とモノラル対応のコンテンツ情報など、情報再生システム側で要求される映像再生機能（ビデオパーフォーマンス）別や音声再生機能（オーディオパーフォーマンス）別など、要求機能別に用意された各種コンテンツ情報が、トランスポートストリーム等として記録される。そして、このような記録の際には、記録開始から停止までを論理的に一つのタイトル２００として記録しつつ、これら複数のコンテンツ情報に対して複数のプレイリスト１２６を夫々含む複数のプレイリストセット１２６Ｓが記録される。
【０２１９】
本実施例では特に、以上説明した（ｉｉ）再生系の構成及び動作においては、図１９のステップＳ２１１からＳ２１４における論理階層の処理及びＳ２１５における論理階層とオブジェクト階層とを関連付ける処理において、タイトル２００により指定される各プレイリストセット１２６Ｓに含まれる複数のプレイリスト１２６のうち、いずれか一つを後に詳述するように選択して、これにより規定される再生シーケンスで、コンテンツ情報を再生する。例えば、ＤＶＤレコーダ用途或いはＤＶＤ−ＲＯＭ用において、一つのタイトルとして記録された各プレイリストセット１２６Ｓに含まれる複数のプレイリスト情報のうち、所望の番組、所望のパレンタルブロック、所望のアングルブロック、機能的に見て個々の情報再生システムで実際に再生可能なバージョンや個々の情報再生システムの機能を効率的に或いは最大限に引き出すバージョンのものなど、所望のコンテンツ情報に対応するものを選択することで、タイトル２００として当該所望のコンテンツ情報を再生できることになる。
【０２２０】
（プレイリストセット中のプレイリストの選択方式）
次に図２０から図２９を参照して、上述した情報記録再生装置５００において、再生されたプレイリスト情報ファイル１２０に含まれるプレイリストセット１２６Ｓから所望のコンテンツ情報に対応するプレイリスト１２６を適宜選択するための各種具体例について説明する。本発明は、これらの選択方式に限定される訳ではなく、例えば同時間帯に記録された複数番組若しくはパレンタルブロック又はアングルブロックなど、相互に関係が深いコンテンツ情報の再生シーケンスを規定するプレイリスト１２６をプレイリストセット１２６Ｓとしてまとめることにより得られる本発明の利点は、他の選択方式を採用することによっても、その方式内容に応じて相応に発揮されるものである。
【０２２１】
以下に説明する三つの選択方式では特に、図８等を参照して説明したタイトルエレメント２００−２のデータ構成、及び図１４等を参照して説明した情報記録再生装置５００による該タイトルエレメント２００−２に基づく再生処理によって、プレイリストの選択を行う。
【０２２２】
（第１選択方式）
先ず図２０から図２２を参照して、第１選択方式について説明する。ここに図２０は、第１選択方式で用いられるタイトルエレメント２００−２（図８参照）の一例におけるデータの論理構成を模式的に示すものである。図２１は、第１選択方式における一つのプレイリストによる再生動作を示すフローチャートであり、図２２は、このうち当該一つのプレイリストを選択する選択動作を示すフローチャートである。
【０２２３】
図２０に示すように、第１選択方式におけるタイトルエレメント２００−２ａは、図８に示したタイトルエレメント２００−２の場合と同様に、プリコマンド２００ＰＲ、ポインタ２００ＰＴにより指定されるプレイリストセット１２６Ｓ、ポストコマンド２００ＰＳ及びネクスト情報２００−６Ｎを含んで構成されている。そして、タイトルエレメント２００−２ａでは特に、プリコマンド２００ＲＰは、コマンドの他に、プレイリスト１２６別に、選択条件が記述されたプレイリスト選択命令群リストを備えて構成されている。
【０２２４】
従って、各タイトルエレメント２００−２ａの先頭に配置されたプリコマンド２００ＰＲによるコマンド処理として、例えばビデオ解像度など、システムで再生可能な何らかの条件等に応じてプレイリストセット１２６Ｓ中から一つのプレイリスト１２６を選択することが可能となる。
【０２２５】
図２１に示すように、第１選択方式では、タイトル再生の一貫として当該タイトルエレメント２００−２ａによる再生が開始されると、先ずプリコマンドが実行される（ステップＳ１０１）。次に、このプリコマンドの実行によって選択されたプレイリスト１２６の再生が行われ（ステップＳ１０２）、続いて、ポストコマンド２００ＰＳが実行され、更に、ネクスト情報２００−６Ｎが参照されて（ステップＳ１０４）、当該タイトルエレメント２００−２ａによる再生は終了され、次のタイトルエレメント２００−２ａによる再生へと続く。
【０２２６】
このような処理のうち、プリコマンド２００ＰＲによるプレイリスト選択処理は、例えば次のように実行される。
【０２２７】
即ち図２２において、先ずプリコマンド２００ＰＲ中に記述されたプレイリスト選択条件が、プレイリスト別に一つずつ読み出される（ステップＳ１１１）。これと並行して、情報記録再生装置５００側において、選択判断情報の入力が行われる（ステップＳ１１２）。係る選択判断情報は、例えば、同時間帯に記録された番組群中の一つの番組を指示するユーザ入力情報であったり、パレンタルブロックやアングルブロックを選択する旨のユーザ入力情報であったりする。或いは、情報記録再生装置５００において、その機能に応じて設定された再生可能な解像度、再生可能なチャネル数などのシステムパラメータや、ユーザにより設定された再生可能な機能を示す設定情報であってもよい。
【０２２８】
続いて、ステップＳ１１１及びＳ１１２で取得された情報が相互に比較されて、ステップＳ１１２で所得された選択判断情報の内容が、ステップＳ１１１で読み出されたプレイリスト選択条件に適合するか否かが判定される（ステップＳ１１３）。ここで、適合すれば（ステップＳ１１３：Ｙｅｓ）、当該適合する選択条件を持つプレイリスト１２６が選択されて（ステップＳ１１４）、一連の選択処理が終了する。
【０２２９】
他方、適合しなければ（ステップＳ１１３：Ｎｏ）、プリコマンド２００ＰＲに記述された最後の選択条件＃ｎであるか否かが判定される（ステップＳ１１５）。ここで、最後の選択要件＃ｎでなければ（ステップＳ１１５：Ｎｏ）、ステップＳ１１１に戻って、次のプレイリスト選択条件が読み出され、以降の処理が繰り返して実行される。
【０２３０】
このような処理の繰り返しの中で、最後の選択要件＃ｎであると（ステップＳ１１５：Ｙｅｓ）、情報記録再生装置５００側からの選択判断情報がいずれのプレイリスト選択条件にも適合しないことになる。そこで、所定の代替処理が実行された後に（ステップＳ１１６）、一連の選択処理が終了する。
【０２３１】
以上説明したように、第１選択方式によれば、タイトルエレメント２００−２ａが、プリコマンド２００ＰＲに従って、プレイリストセット１２６Ｓに含まれる複数のプレイリスト１２６のうち、所望の番組、所望のパレンタルブロック、所望のアングルブロックなど、所望のコンテンツ情報に対応するものを選択可能となる。或いは、映像再生機能や音声再生機能に鑑みて、情報記録再生装置５００で再生可能であるコンテンツ情報に対応するプレイリスト１２６を選択可能となる。
【０２３２】
（第２選択方式）
次に図２３から図２５を参照して、第２選択方式について説明する。ここに図２３は、第２選択方式で用いられるタイトルエレメント２００−２（図８参照）の他の例におけるデータの論理構成を模式的に示すものである。図２４は、第２選択方式における一つのプレイリストによる再生動作を示すフローチャートであり、図２５は、このうち当該一つのプレイリストを選択する選択動作を示すチャートである。
【０２３３】
図２３に示すように、第２選択方式におけるタイトルエレメント２００−２ｂは、図８に示したタイトルエレメント２００−２の場合と同様に、プリコマンド２００ＰＲ、ポインタ２００ＰＴにより指定されるプレイリストセット１２６Ｓ、ポストコマンド２００ＰＳ及びネクスト情報２００−６Ｎを含んで構成されている。
【０２３４】
そして、タイトルエレメント２００−２ｂでは特に、プレイリストセット１２６Ｓに格納された各プレイリスト１２６には、属性情報が付加されている。ここに「属性情報」とは、各プレイリストに対応するコンテンツ情報について、映像機能については、ビデオ解像度はどの程度であるか、プログレッシブ／インターリーブの別、画角度はどの程度か、リフレッシュレートはどの程度か、コーデックは何か、或いはハイビジョン対応であるか、ノーマル対応であるか等のプレイリストに係るコンテンツ情報の属性を示す情報である。また、「属性情報」音声機能については、チャネルアサインメントは何か、コーデックは何か、サンプリング周波数は何か、サンプルビットは何か、或いはサラウンドスピーカ対応か、ステレオ対応か、モノラル対応か等を示すプレイリストに係るコンテンツ情報の属性を示す情報である。
【０２３５】
更に、タイトルエレメント２００−２ｂには特に、複数のプレイリスト１２６を選択可能であるか否かを示すセレクタブルフラグ（選択可能フラグ）を含んでなる、プレイリストセット制御情報１２６ＳＤ−１が格納されている。
【０２３６】
従って、当該情報記録媒体の再生時には、プレイリストセット制御情報１２６ＳＤ−１中のセレクタブルフラグに従って選択処理を適宜実行可能となる。しかも、例えばセレクタブルフラグにより選択可能である旨が示されていれば、情報記録再生装置５００は、そのビデオ解像度等のシステムパラメータと属性情報とを照合し、プレイリストセット１２６Ｓ中の、当該情報記録再生装置５００にとって最適なプレイリスト１２６を選択することができる。或いは、プレイリスト１２６に付加された属性情報に応じて、プレイリストセット１２６Ｓに含まれる複数のプレイリスト１２６のうち、所望の番組、所望のビデオ解像度、所望のパレンタルブロック、所望のアングルブロックなど、所望のコンテンツ情報に対応するものを選択する制御が可能となる。
【０２３７】
尚、例えばセレクタブルフラグにより選択可能である旨が示されていない場合用に、プレイリストセット制御情報１２６ＳＤ−１は、一意に選択されるべきプレイリスト１２６の番号を更に保持している。このようなプレイリストセット制御情報１２６ＳＤ−１は、タイトルエレメント２００−２ｂ毎に格納されている。
【０２３８】
図２４に示すように、第２選択方式では、タイトル再生の一貫として当該タイトルエレメント２００−２ｂによる再生が開始されると、先ずプレイリストは、選択可能であるか否かが、セレクタブルフラグを参照することによって判定される（ステップＳ１２１）。ここで、選択可能と判定されれば（ステップＳ１２１：Ｙｅｓ）、プレイリストセット１２６Ｓ中のプレイリスト１２６の選択が行われる（ステップＳ１２３）。次に、当該プレイリストセット１２６Ｓに含まれるプリコマンド２００ＰＲが実行される（ステップＳ１２４）。次に、選択されたプレイリスト１２６の再生が行われ（ステップＳ１２５）、続いて、ポストコマンド２００ＰＳが実行され（ステップＳ１２６）、更に、ネクスト情報２００−６Ｎが参照されて(ステップＳ１２７)、当該タイトルエレメント２００−２ｂによる再生は終了され、次のタイトルエレメント２００−２ｂによる再生へと続く。
【０２３９】
他方、ステップＳ１２１で、選択可能でなければ（ステップＳ１２１：Ｎｏ）、プレイリストセット制御情報１２６ＳＤ−１が保持する、一意に選択されるべきプレイリスト１２６の番号を参照して（ステップＳ１２２）、この番号のプレイリスト１２６が選択されたものとしてステップＳ１２４以降の処理を続行する。
【０２４０】
このような処理のうち、プレイリストセット制御情報１２６ＳＤ−１及びプレイリスト１２６の属性情報によるプレイリスト選択処理は、例えば次のように実行される。
【０２４１】
即ち図２５において、プレイリストセット１２６Ｓ内において、各プレイリスト１２６に付加された属性情報が、プレイリスト別に一つずつ読み出される（ステップＳ１３１）。これと並行して、情報記録再生装置５００側において、選択判断情報の入力が行われる（ステップＳ１３２）。係る選択判断情報は、例えば、同時間帯に記録された番組群中の一つの番組を指示するユーザ入力情報であったり、パレンタルブロックやアングルブロックを選択する旨のユーザ入力情報であったりする。或いは、情報記録再生装置５００において、その機能に応じて設定された再生可能な解像度、再生可能なチャネル数などのシステムパラメータや、ユーザにより設定された再生可能な機能を示す設定情報であってもよい。
【０２４２】
続いて、ステップＳ１３１及びＳ１３２で取得された情報が相互に比較されて、ステップＳ１３２で所得された選択判断情報の内容が、ステップＳ１３１で読み出された属性情報により示されるプレイリストの属性に適合するか否かが判定される（ステップＳ１３３）。ここで、適合すれば（ステップＳ１３３：Ｙｅｓ）、当該適合する属性を有するプレイリスト１２６が選択されて（ステップＳ１３４）、一連の選択処理が終了する。
【０２４３】
他方、適合しなければ（ステップＳ１３３：Ｎｏ）、プレイリストセット１２６Ｓ中の最後のプレイリスト１２６（即ち、プレイリスト＃ｍ）であるか否かが判定される（ステップＳ１３５）。ここで、最後のプレイリスト１２６でなければ（ステップＳ１３５：Ｎｏ）、ステップＳ１３１に戻って、次のプレイリストの属性情報が読み出され、以降の処理が繰り返して実行される。
【０２４４】
このような処理の繰り返しの中で、最後のプレイリスト１２６であると（ステップＳ１３５：Ｙｅｓ）、情報記録再生装置５００側からの選択判断情報がいずれのプレイリストの属性にも適合しないことになる。そこで、所定の代替処理が実行された後に（ステップＳ１３６）、一連の選択処理が終了する。
【０２４５】
以上説明したように、第２選択方式によれば、属性情報及びセレクタブルフラグに従って、プレイリストセット１２６Ｓに含まれる複数のプレイリスト１２６のうち、所望の番組、所望のパレンタルブロック、所望のアングルブロックなど、所望のコンテンツ情報に対応するものを選択可能となる。或いは、映像再生機能や音声再生機能に鑑みて、情報記録再生装置５００で再生可能であるコンテンツ情報に対応するプレイリスト１２６を選択可能となる。
【０２４６】
（第３選択方式）
次に図２６から図２９を参照して、第３選択方式について説明する。ここに図２６は、第３選択方式で用いられるタイトルエレメント２００−２（図８参照）の他の例におけるデータの論理構成を模式的に示すものであり、図２７は、そのうちプレイリストセット制御情報のデータ構造の詳細を模式的に示すものである。図２８は、第３選択方式における一つのプレイリストによる再生動作を示すフローチャートであり、図２９は、このうち当該一つのプレイリストを選択する選択動作を示すチャートである。
【０２４７】
図２６に示すように、第３選択方式におけるタイトルエレメント２００−２ｃは、図８に示したタイトルエレメント２００−２の場合と同様に、プリコマンド２００ＰＲ、ポインタ２００ＰＴにより指定されるプレイリストセット１２６Ｓ、ポストコマンド２００ＰＳ及びネクスト情報２００−６Ｎを含んで構成されている。
【０２４８】
そして、タイトルエレメント２００−２ｃには特に、選択条件をプレイリスト毎に格納するプレイリストセット制御情報１２６ＳＤ−２が格納されている。
【０２４９】
図２７に示すように、プレイリストセット制御情報１２６ＳＤ−２は、例えば再生時に要求されるビデオ解像度、再生時にハイビジョン対応が要求されるか否か、再生時にサラウンドスピーカシステムが要求されるか否か、再生時にステレオが要求されるか否か等々の選択条件＃１〜＃ｍが、プレイリスト番号＃１〜＃ｍに対応付けて格納されている。より具体的には、例えば、(i)予め番号付けさ
れている、各種の選択条件に係るパラメータの番号と、(ii)このパラメータについてどのような比較演算を行うのか、(iii)比較演算する際の比較対照となる値
（閾値）又は他のパラメータの番号などの詳細が、格納されている。そして、これらのうち一つ又は複数の条件で、一つのプレイリスト１２６が選択可能な構造が採用されている。
【０２５０】
このため、プレイリストセット制御情報１２６ＳＤ−２に従えば、情報記録再生装置５００側のプレーヤにおける機能について設定されたシステムパラメータ等とこれらの選択条件を照合することで、プレイリストセット１２６Ｓ中から一つのプレイリスト１２６を選択できる。尚、プレイリストセット制御情報１２６ＳＤ−２には、タイトルエレメント２００−２ｃの再生において使用するプレイリスト１２６についてのみ選択条件等の情報を記述しておけば十分である。
【０２５１】
従って、当該情報記録媒体の再生時には、プレイリストセット制御情報１２６ＳＤ−２に記述された選択条件に従って、各プレイリストセット１２６Ｓ中の複数のプレイリスト１２６のうち、情報記録再生装置５００の機能を最大限に活用するコンテンツ情報、或いは所望の番組、所望のパレンタルブロック、所望のアングルブロックなど、所望のコンテンツ情報に対応するものを選択する制御が可能となる。
【０２５２】
図２８に示すように、第３選択方式では、タイトル再生の一貫として当該タイトルエレメント２００−２ｃによる再生が開始されると、先ず当該タイトルエレメント２００−２ｃ中のプレイリストセット制御情報１２６ＳＤ−２の選択条件が参照されて、プレイリストセット１２６Ｓ中のプレイリスト１２６の選択が行われる（ステップＳ１４１）。次に、当該プレイリストセット１２６Ｓに含まれるプリコマンド２００ＰＲが実行される（ステップＳ１４２）。次に、選択されたプレイリスト１２６の再生が行われ（ステップＳ１４３）、続いて、ポストコマンド２００ＰＳが実行され（ステップＳ１４４）、更に、ネクスト情報２００−６Ｎが参照されて(ステップＳ１４５)、当該タイトルエレメント２００−２ｃによる再生は終了され、次のタイトルエレメント２００−２ｃによる再生へと続く。
【０２５３】
このような処理のうち、プレイリストセット制御情報１２６ＳＤ−２の選択条件によるプレイリスト選択処理は、例えば次のように実行される。
【０２５４】
即ち図２９において、先ずプレイリストセット制御情報１２６ＳＤ−２の選択条件が、プレイリスト別に一つずつ読み出される（ステップＳ１５１）。これと並行して、情報記録再生装置５００側において、選択判断情報の入力が行われる（ステップＳ１５２）。係る選択判断情報は、例えば、同時間帯に記録された番組群中の一つの番組を指示するユーザ入力情報であったり、パレンタルブロックやアングルブロックを選択する旨のユーザ入力情報であったりする。或いは、情報記録再生装置５００において、その機能に応じて設定された再生可能な解像度、再生可能なチャネル数などのシステムパラメータや、ユーザにより設定された再生可能な機能を示す設定情報であってもよい。
【０２５５】
続いて、ステップＳ１５１及びＳ１５２で取得された情報が相互に比較されて、ステップＳ１５２で所得された選択判断情報の内容が、ステップＳ１５１で読み出されたプレイリスト選択条件に適合するか否かが判定される（ステップＳ１５３）。ここで、適合すれば（ステップＳ１５３：Ｙｅｓ）、当該適合する選択条件を持つプレイリスト１２６が選択されて（ステップＳ１５４）、一連の選択処理が終了する。
【０２５６】
他方、適合しなければ（ステップＳ１５３：Ｎｏ）、プレイリストセット制御情報１２６ＳＤ−２中の最後のプレイリスト１２６（即ち、プレイリスト＃ｍ）に係る選択条件であるか否かが判定される（ステップＳ１５５）。ここで、最後のプレイリスト１２６でなければ（ステップＳ１５５：Ｎｏ）、ステップＳ１５１に戻って、次のプレイリスト１２６に係る選択条件が読み出され、以降の処理が繰り返して実行される。
【０２５７】
このような処理の繰り返しの中で、最後のプレイリスト１２６であると（ステップＳ１５５：Ｙｅｓ）、情報記録再生装置５００側からの選択判断情報がいずれのプレイリストの選択条件にも適合しないことになる。そこで、所定の代替処理が実行された後に（ステップＳ１５６）、一連の選択処理が終了する。
【０２５８】
以上説明したように、第３選択方式によれば、プレイリスト別の選択条件に従って、プレイリストセット１２６Ｓに含まれる複数のプレイリスト１２６のうち、所望の番組、所望のパレンタルブロック、所望のアングルブロックなど、所望のコンテンツ情報に対応するものを選択可能となる。或いは、映像再生機能や音声再生機能に鑑みて、情報記録再生装置５００で再生可能であるコンテンツ情報に対応するプレイリスト１２６を選択可能となる。
【０２５９】
（再生時のアクセスの流れ）
次に図３０を参照して、本実施例における特徴の一つであるＡＵ（アソシエートユニット）情報１３２及びＰＵ（プレゼンテーションユニット）情報３０２を用いた情報記録再生装置５００における再生時のアクセスの流れについて、光ディスク１００の論理構造と共に説明する。ここに図３０は、光ディスク１００の論理構造との関係で、再生時におけるアクセスの流れ全体を概念的に示すものである。
【０２６０】
図３０において、光ディスク１００の論理構造は、論理階層４０１、オブジェクト階層４０３及びこれら両階層を相互に関連付ける論理−オブジェクト関連付け階層４０２という三つの階層に大別される。
【０２６１】
これらのうち論理階層４０１は、再生時に所望のタイトルを再生するための各種論理情報と再生すべきプレイリスト（Ｐリスト）及びその構成内容とを論理的に特定する階層である。論理階層４０１には、光ディスク１００上の全タイトル２００等を示すディスク情報１１０ｄが、ディスク情報ファイル１１０（図３参照）内に記述されており、更に、光ディスク１００上の全コンテンツの再生シーケンス情報１２０ｄが、プレイリスト情報ファイル１２０（図３参照）内に記述されている。より具体的には、再生シーケンス情報１２０ｄとして、各タイトル２００に含まれる一又は複数のタイトルエレメント２００−２に対して夫々、一又は複数のプレイリストセット１２６Ｓの構成が記述されている。更に、各プレイリストセット１２６Ｓは、一又は複数のプレイリスト１２６を含んでおり、各プレイリスト１２６には、一又は複数のアイテム２０４（図１３参照）の構成が記述されている。そして、再生時におけるアクセスの際に、このような論理階層４０１によって、再生すべきタイトル２００を特定し、これに対応するプレイリスト１２６を特定し、更にこれに対応するアイテム２０４を特定する。
【０２６２】
続いて、論理−オブジェクト関連付け階層４０２は、このように論理階層４０１で特定された情報に基づいて、実体データであるＴＳオブジェクトデータ１４０ｄの組み合わせや構成の特定を行うと共に論理階層４０１からオブジェクト階層４０３へのアドレス変換を行うように、再生すべきＴＳオブジェクトデータ１４０ｄの属性とその物理的な格納アドレスとを特定する階層である。より具体的には、論理−オブジェクト関連付け階層４０２には、各アイテム２０４を構成するコンテンツの固まりをＡＵ１３２という単位に分類し且つ各ＡＵ１３２をＰＵ３０２という単位に細分類するオブジェクト情報データ１３０ｄが、オブジェクト情報ファイル１３０（図３参照）に記述されている。
【０２６３】
ここで、「ＰＵ（プレゼンテーションユニット）３０２」とは、複数のエレメンタリーストリームを、再生切り替え単位ごとに関連付けてまとめた単位である。仮に、このＰＵ３０２中にオーディオストリームが３本存在すれば、このビジョンを再生中には、ユーザが自由に３本のオーディオ（例えば、言語別オーディオなど）を切り替えることが可能となる。
【０２６４】
他方、「ＡＵ（アソシエートユニット）１３２」とは、一つのタイトルで使用するＴＳオブジェクト中の、ビデオストリームなどのエレメンタリーストリームを複数まとめた単位であり、一又は複数のＰＵ３０２の集合からなる。より具体的には、ＰＵ３０２を介して間接的に、エレメンタリーストリームパケットＩＤ（ＥＳ＿ＰＩＤ）を各ＴＳオブジェクト毎にまとめた単位である。このＡＵ１３２は、例えば多元放送における相互に切り替え可能な複数の番組或いは複数のプログラムなど、コンテンツから考えて相互に特定関係を有する複数の番組或いは複数のプログラムなどの集合に対応している。そして、同一のＡＵ１３２に属したＰＵ３０２は、再生時にユーザ操作により相互に切り替え可能な複数の番組或いは複数のプログラムを夫々構成する一又は複数のエレメンタリーストリームの集合に対応している。
【０２６５】
従って、再生すべきＡＵ１３２が特定され、更にそれに属するＰＵ３０２が特定されれば、再生すべきエレメンタリーストリームが特定される。即ち、図１２に示したＰＡＴやＰＭＴを用いないでも、光ディスク１００から多重記録された中から所望のエレメンタリーストリームを再生可能となる。
【０２６６】
尚、このようなＡＵ１３２及びＰＵ３０２を夫々定義する、ＡＵ情報１３２Ｉ及びＰＵ情報３０２Ｉのより具体的なデータ構成については、後に詳述する。
【０２６７】
ここで実際に再生されるエレメンタリーストリームは、ＰＵ情報３０２から、エレメンタリーストリームのパケットＩＤ（図１２参照）であるＥＳ＿ＰＩＤによって特定或いは指定される。同時に、再生の開始時間及び終了時間を示す情報が、エレメンタリーストリームのアドレス情報に変換されることにより、特定エレメンタリーストリームの特定領域（或いは特定時間範囲）におけるコンテンツが再生されることになる。
【０２６８】
このようにして論理−オブジェクト関連付け階層４０２では、各アイテム２０４に係る論理アドレスから各ＰＵ３０２に係る物理アドレスへのアドレス変換が実行される。
【０２６９】
続いて、オブジェクト階層４０３は、実際のＴＳオブジェクトデータ１４０ｄを再生するための物理的な階層である。オブジェクト階層４０３には、ＴＳオブジェクトデータ１４０ｄが、オブジェクトデータファイル１４０（図３参照）内に記述されている。より具体的には、複数のエレメンタリーストリーム（ＥＳ）を構成するＴＳパケット１４６が時刻毎に多重化されており、これらが時間軸に沿って配列されることにより、複数のエレメンタリーストリームが構成されている（図１１参照）。そして、各時刻で多重化された複数のＴＳパケットは、エレメンタリーストリーム毎に、論理−オブジェクト関連付け階層４０２で特定されるＰＵ３０２に対応付けられている。尚、複数のＰＵ３０２と、一つのエレメンタリーストリームとを関連付けること（例えば、切り替え可能な複数の番組間或いは複数のプログラム間で、同一のオーディオデータに係るエレメンタリーストリームを共通で利用したり、同一のサブピクチャデータに係るエレメンタリーストリームを共通で利用すること）も可能である。
【０２７０】
このようにオブジェクト階層４０３では、論理−オブジェクト関連付け階層４０２における変換により得られた物理アドレスを用いての、実際のオブジェクトデータの再生が実行される。
【０２７１】
以上のように図３０に示した三つの階層により、光ディスク１００に対する再生時におけるアクセスが実行される。
【０２７２】
（各情報ファイルの構造）
次に図３１から図３８を参照して、本実施例の光ディスク１００上に構築される各種情報ファイル、即ち図３を参照して説明した（１）ディスク情報ファイル１１０及びプレイリスト情報ファイル１２０、並びに（２）オブジェクト情報ファイル１３０におけるデータ構造の具体例について説明する。
【０２７３】
（１）ディスク情報ファイル及びプレイリスト情報ファイル：
図３１から図３７を参照して、これらのファイルの具体例における各構成要素及び構成要素間の階層構造について説明する。ここに、図３１から図３７は、これらのファイルの階層構造を模式的に示す概念図である。尚、図３１から図３７において、既に図３から図９等を参照して説明したファイル、データ或いは情報等と同様のものには同様の参照符号を付し、それらの説明は適宜省略する。
【０２７４】
先ず、図３１に示すように、本具体例に係る「タイトル情報セット」は、図３等に示したディスク情報ファイル１１０及びプレイリスト情報ファイル１２０を含んでなる情報セットである。
【０２７５】
タイトル情報セットは、一つのディスクヘッダ１１２ｘ、複数のタイトル情報２００（タイトル情報＃１、…、＃ｎ）、複数のプレイ（Ｐ）リストセット１２６Ｓ（Ｐリストセット＃１、…、＃ｎ）及びその他の情報から構成されている。      
【０２７６】
（１−１）ディスクヘッダ：
先ず図３１に示したタイトル情報セットのうち、ディスクヘッダ１１２ｘについて、図３１及び図３２を参照して説明する。
【０２７７】
図３１において、ディスクヘッダ１１２ｘは、同図中で右上段に分岐する形で示されており、同図中で上から順に、図３に示したディスク総合情報１１２に対応する情報として、バージョン番号、タイトル総数、タイトル情報総数、プレイ（Ｐ）リストセット総数等の各種情報用の複数フィールドを有する。ディスクヘッダ１１２ｘは、図３に示したタイトルポインタ１１４−１に対応する情報用のテーブルとして、タイトル開始アドレステーブルを有しており、図３に示したプレイリストセットポインタ１２４に対応する情報用のテーブルとして、プレイ（Ｐ）リストセット開始アドレステーブルを有する。ディスクヘッダ１１２ｘは、各タイトルセットの属性を示すタイトルセット属性を示す情報用のフィールドを有する。更にディスクヘッダ１１２ｘは、タイトルテーブル１１２ｘｔｔ及びプレイリストセットテーブル１１２ｘｐｔを有する。
【０２７８】
このように複数のフィールド及び複数のテーブルを有するディスクヘッダ１１２ｘは、ディスク上記録領域全域の複数のタイトルを統括的に管理するためのものである。
【０２７９】
ここに、「バージョン番号」は、当該規格におけるバージョン番号であり、例えばＩＳＯ６４６によれば、コード“００７０”とされる。「タイトル総数」は、ディスク上記録領域全域のタイトルの総数であり、「タイトル情報総数」は、ディスク上記録領域全域のタイトル情報の総数である。「プレイリストセット総数」は、ディスク上記録領域全域のプレイリストセットの総数であり、「タイトル開始アドレステーブル」は、タイトルセットの先頭からの相対的なバイト番号として、各タイトルの開始アドレスを示す。このバイト番号は、例えば０からカウントされる。「プレイリストセット開始アドレステーブル」は、タイトルセットの先頭からの相対的なバイト番号として、各プレイリストセットの開始アドレスを示す。このバイト番号は、例えば０からカウントされる。「タイトルセット属性」は、例えばタイトルセットのデータ長さ、タイトルセットで用いる文字の種類（日本語、英語など）、タイトルセットの名称等のタイトルセットの属性を示す。
【０２８０】
図３２において、タイトルテーブル１１２ｘｔｔは、同図中で右上段に分岐する形で示されており、同図中で上から順に、複数のタイトルメニュー開始アドレス情報＃１、…、＃ｎ及び複数のタイトルコンテンツ開始アドレス情報＃１、…、＃ｎを、番号別に対をなす形式で記録するための複数フィールドを有する。
【０２８１】
ここに、「タイトルメニュー開始アドレス」は、タイトルセットの先頭からの相対的なバイト番号として、各タイトルメニューを含むタイトル情報の開始アドレスを示す。このバイト番号は、例えば０からカウントされる。タイトルメニュー開始アドレス“０”は、ディスク全体に関するメニューであるディスクメニューに割り当てられる。「タイトルコンテンツ開始アドレス」は、タイトルセットの先頭からの相対的なバイト番号として、各コンテンツタイトルを含むタイトル情報の開始アドレスを示す。ここに「コンテンツタイトル」とは、各タイトルのコンテンツを示すタイトルである。このバイト番号は、例えば０からカウントされる。タイトルコンテンツ開始アドレス“０”は、例えばタイトル再生初期に無条件に再生されるファーストプレイタイトルに割り当てられる。
【０２８２】
図３２において、プレイリストセットテーブル１１２ｘｐｔは、同図中で右下段に分岐する形で示されており、複数のプレイ（Ｐ）リストセット開始アドレス＃１、…、＃ｍを記録するための複数フィールドを有する。
【０２８３】
ここに、「プレイリストセット開始アドレス」は、タイトルセットの先頭からの相対的なバイト番号として、各プレイリストセットの開始アドレスを示す。このバイト番号は、例えば０からカウントされる。
【０２８４】
（１−２）タイトル情報：
次に図３１に示したタイトル情報セットのうち、タイトル情報２００について、図３１及び図３３を参照して説明する。
【０２８５】
図３１において、タイトル情報２００は、同図中で右中段に分岐する形で示されており、同図中で上から順に、図４に示したタイトル総合情報２００−１に対応するタイトルエレメントの総数を示す情報２００−１ｘを記録するためのフィールドを有し、更に、複数のタイトルエレメント２００−２（タイトルエレメント＃１、…、＃ｋ）及びその他の情報２００−５を記録するための複数フィールドを有する。
【０２８６】
ここに、「タイトルエレメント総数」は、当該タイトル情報に含まれるタイトルエレメントの総数を示す。
【０２８７】
図３３において、各タイトルエレメント２００−２は、同図中で右に分岐する形で示されており、同図中で上から順に、“プレイリストセット番号”が記述されるポインタ２００ＰＴ、候補総数、適用可能な一又は複数のプレイ（Ｐ）リスト番号（即ち、Ｐリスト＃１、…、＃ｋ）が記述されるＰリスト識別情報２００ＰＮを記録するための複数フィールドを有する。更に、Ｐリストプリコマンド２００ＰＲ、Ｐリストポストコマンド２００ＰＳ及び、次に再生されるべきタイトルエレメントを示すネクスト情報２００−６Ｎ等を記録するための複数フィールドを有する。尚、タイトルエレメント２００−２中のその他の情報とは、例えば、シーケンシャル型や分岐型等のタイトルの種類等の各タイトルエレメントに関する情報である。
【０２８８】
ここに、「プレイリストセット番号が記述されるポインタ２００ＰＴ」は、プレイリストセットのＩＤ（識別）番号を示すポインタである。「候補総数」は、当該ポインタ２００ＰＴにより指定されるプレイリストセット中においてタイトルエレメントの選択候補となりえるプレイリストの総数を示す。「Ｐリスト識別情報２００ＰＮ」は、かかる選択候補となりえる一又は複数のプレイリストのＩＤ（識別）番号を示す。かかるＰリスト識別情報２００ＰＮを設けたことにより、一つのプレイリストセット中に異なるタイトル再生のために選択候補となるプレイリストを含ませることができ、一つのプレイリストセットを異なるタイトルエレメントで兼用することが可能となる。一方、「Ｐリストプリコマンド２００ＰＲ」、「Ｐリストポストコマンド２００ＰＳ」及び「ネクスト情報２００−６Ｎ」等については、前述の通りである。
【０２８９】
（１−３）プレイリストセット：
次に図３１に示したタイトル情報セットのうち、プレイリストセット１２６Ｓについて、図３１及び図３４から図３７を参照して説明する。
【０２９０】
図３１において、プレイリストセット１２６Ｓは、同図中で右下段に分岐する形で示されており、同図中で上から順に、図５に示したプレイリストセット総合情報１２６−１に対応する情報として、プレイ（Ｐ）リスト総数及び複数のプレイリスト（ＰＬ）プレゼンテーション（ＰＬプレゼンテーション＃１、…、＃ｉ）を含んでなる情報１２６−１ｘを記録するためのフィールドを有する。更に、プレイリストセット１２６Ｓは、複数のプレイ（Ｐ）リスト１２６（即ち、Ｐリスト＃１、…、＃ｉ）、アイテム定義テーブル１２６−３及びその他の情報１２６−４を記録するための複数フィールドを有する。
【０２９１】
ここに、「プレイリスト総数」は、当該プレイリストセット中のプレイリストの総数を示す。ＰＬプレゼンテーション＃１、…、＃ｉは夫々Ｐリスト＃１、…、＃ｉに対応する属性情報であり、図２３に示される属性情報に相当する。
【０２９２】
図３４に示されるように、各ＰＬプレゼンテーション１２６−１ｘｉは、同図中で右上段へ分岐する形で示されており、同図中で上から順に、ビデオコーデック、ビデオ解像度、ビデオアスペクト比、ビデオフレームレート、オーディオチャネル割当等を示す情報を記録するための複数フィールドを有する。
【０２９３】
ここに、「ビデオコーデック」は、当該プレイリストセットに係る映像情報記録時に使用され、よってその再生時に使用すべきビデオコーデックの種類を示す。「ビデオ解像度」は、当該プレイリストセットのうちメインパス（即ち、主映像を提供するビデオストリーム）に対応するプレイリストに係る映像情報記録時に使用されたビデオ解像度を示す。「ビデオアスペクト比」は、当該プレイリストセットのうちメインパスに対応するプレイリストに係る映像情報記録時に使用されたビデオアスペクト比を示す。「ビデオフレームレート」は、当該プレイリストセットのうちメインパスに対応するプレイリストに係る映像情報記録時に使用されたビデオフレームレートを示す。「オーディオチャネル割当」は、当該プレイリストセットのうちメインパスに対応するプレイリストに係る音声情報記録時に使用されたオーディオチャネルの割当を示す。
【０２９４】
図３４において、各プレイリスト１２６は、同図中で右中段へ分岐する形で示されており、同図中で上から順に、当該プレイリスト１２６のデータ長さを示す情報、プレイリストヘッダ、複数のプレイリストエレメント１２６−２（即ち、Ｐリストエレメント＃１、…、＃ｉ）等を記録するための複数フィールドを有する。
【０２９５】
ここに、プレイリストの「長さ」は、次に続くプレイリストの長さをバイト数で示す。これは、「長さ」フィールド自体を含まないデータ長さを示す。「プレイリストヘッダ」は、当該プレイリストに含まれるプレイリストエレメントの総数、当該プレイリストの再生時間、当該プレイリストの名称等の情報を示す。
【０２９６】
更に図３５において、各プレイリストエレメント１２６−２は、同図中で右へ分岐する形で示されており、同図中で上から順に、マスタープレイ（Ｐ）アイテムについてのアイテム番号を示すポインタ１２６ＰＴ、サブパス総数、複数のサブパス情報１２６−２ｓｕｂ（即ち、サブパス情報＃１、…、＃ｋ）、ネクスト情報１２６−６Ｎ、プレイ（Ｐ）アイテムについてのプリコマンド１２６ＰＲ、プレイ（Ｐ）アイテムについてのポストコマンド１２６ＰＳ及びその他の情報１２６−６等を記録するための複数フィールドを有する。
【０２９７】
ここに、「ポインタ１２６ＰＴ」、「プリコマンド１２６ＰＲ」及び「ポストコマンド１２６ＰＳ」については、前述の通りである。また、「サブパス総数」は、当該プレイリストエレメント内に存在するサブパスの総数を示す。「ネクスト情報１２６−６Ｎ」は、次に再生されるべきプレイリストエレメントを示す。      
【０２９８】
更に図３６において、各サブパス情報１２６−２ｓｕｂは、同図中で中央へ向かって右へ分岐する形で示されており、同図中で上から順に、サブパスタイプ及びスレーブプレイ（Ｐ）アイテム総数、並びに複数のスレーブプレイ（Ｐ）アイテム情報１２６−ｓｕｂＰＴ（即ち、スレーブＰアイテム情報１、…、＃ｋ）を記録するための複数フィールドを有する。
【０２９９】
ここに、「サブパスタイプ」は、各種メニュー表示などサブパスによって如何なる表示が行われるかを示す。「スレーブＰアイテム総数」は、当該サブパスにおけるスレーブプレイアイテムの総数を示す。
【０３００】
そして、各スレーブプレイ（Ｐ）アイテム情報１２６−ｓｕｂＰＴは、同図中で中央から右端へ向かって分岐する形で示されており、同図中で上から順に、スレーブプレイ（Ｐ）アイテム番号及びマスタープレイ（Ｐ）アイテムのスタートＰＴＳを記録するための複数フィールドを有する。
【０３０１】
ここに、「スレーブＰアイテム番号」は、当該サブパスにおけるプレイアイテムのＩＤ（識別）番号を示す。「マスタープレイアイテムのスタートＰＴＳ（プレゼンテーションタイムスタンプ）」は、マスタープレイアイテムの再生時間軸上における当該スレーブアイテムの再生時刻を示す。
【０３０２】
他方で、図３４において、アイテム定義テーブル１２６−３は、同図中で右下段へ分岐する形で示されており、同図中で上から順に、プレイ（Ｐ）アイテムの総数、複数のプレイ（Ｐ）アイテム２０４（即ち、Ｐアイテム＃１、…、＃ｎ）等を記録するための複数フィールドを有する。
【０３０３】
ここに、「プレイアイテムの総数」は、当該アイテム定義テーブルにおけるアイテム２０４の総数を示す。
【０３０４】
図３７において、各アイテム２０４は、同図中で中央へ向かって右上側へ分岐する形で示されており、同図中で上から順に、プレイ（Ｐ）アイテム種類、ストリームオブジェクトプレイ（Ｐ）アイテム２０４-stream等を記録するための複
数フィールドを有する。
【０３０５】
ここに、「プレイ（Ｐ）アイテム種類」は、当該プレイアイテムの種類を示す。例えば、動画用のストリームオブジェクトのためのアイテムであれば、コード“００ｈ”とされ、静止画用のオブジェクトのためのアイテムであれば、コード“１０ｈ”とされ、各種メニュー用のオブジェクトのためのアイテムであれば、コード“２０ｈ”とされる。
【０３０６】
更に、ストリームオブジェクトプレイ（Ｐ）アイテム２０４-streamは、同図
中で中央から右端へ向かって分岐する形で示されており、同図中で上から順に、各プレイアイテムに係る、ＥＳ（エレメンタリーストリーム）インデックス番号、ＩＮタイム（ＩＮポイント）、ＯＵＴタイム（ＯＵＴポイント）等を示す情報を有する。
【０３０７】
ここに、「ＥＳインデックス番号」は、ＩＮタイム及びＯＵＴタイムが適用されるエレメンタリーストリームのＩＤ（識別）番号及び種類を示す。また、「ＩＮタイム（ＩＮポイント）」及び「ＯＵＴタイム（ＯＵＴポイント）」については、前述の通りであり、例えば９０ｋＨｚの時間ベースで、当該アイテムの再生時刻及び終了時刻が記述される。
【０３０８】
尚、図３７において、アイテム定義テーブル１２６−３は、このようなストリームオブジェクト用、即ち動画用のアイテム２０４に代えて、静止画オブジェクト用のアイテム２０４-stillを含んでもよい。この場合には、アイテム２０４-stillは、プレイアイテムの種類を示す情報、静止画オブジェクトプレイ（Ｐ）アイテム等を有する。
【０３０９】
尚、以上説明したタイトル情報セットにおける各々のデータ量は、固定バイトであってもよいし、可変バイトであってもよい。更に各フィールドは、必要な個数分の各テーブルを追加可能な構造を有してもよい。
【０３１０】
（２）オブジェクト情報ファイル：
次に図３８を参照して、オブジェクト情報ファイル１３０について一具体例を挙げて詳細に説明する。ここに図３８は、オブジェクト情報ファイル１３０内に構築されるＡＵ（アソシエートユニット）テーブル１３１（図３参照）及びこれに関連付けられるＥＳ（エレメンタリーストリーム）マップテーブル１３４（図３参照）におけるデータ構成の一具体例を図式的に示すものである。
【０３１１】
図３８に示すように本具体例では、オブジェクト情報ファイル１３０内には、オブジェクト情報テーブル（オブジェクト情報ｔａｂｌｅ）が格納されている。そして、このオブジェクト情報テーブルは、図中上段に示すＡＵテーブル１３１及び下段に示すＥＳマップテーブル１３４から構成されている。
【０３１２】
図３８の上段において、ＡＵテーブル１３１は、各フィールド（Ｆｉｅｌｄ）が必要な個数分のテーブルを追加可能な構造を有してもよい。例えば、ＡＵが４つ存在すれば、該当フィールドが４つに増える構造を有してもよい。
【０３１３】
ＡＵテーブル１３１には、別フィールド（Ｆｉｅｌｄ）に、ＡＵの数、各ＡＵへのポインタなどが記述される「ＡＵテーブル総合情報」と、「その他の情報」とが格納されている。
【０３１４】
そして、ＡＵテーブル１３１内には、各ＡＵ＃ｎに対応する各ＰＵ＃ｍにおけるＥＳテーブルインデックス＃ｍ（ＥＳ＿ｔａｂｌｅ  Ｉｎｄｅｘ  ＃ｍ）を示すＡＵ情報１３２Ｉとして、対応するＥＳマップテーブル１３４のインデックス番号（Ｉｎｄｅｘ番号＝…）が記述されている。ここで「ＡＵ」とは、前述の如く例えばテレビ放送でいうところの“番組”に相当する単位（特に、“マルチビジョン型”の放送の場合には、切り替え可能な複数の“ビジョン”を一まとめとした単位）であり、この中に再生単位であるＰＵが一つ以上含まれている。また、「ＰＵ」とは、前述の如く各ＡＵ内に含まれる相互に切り替え可能なエレメンタリーストリームの集合であり、ＰＵ情報３０２Ｉにより各ＰＵに対応するＥＳテーブルインデックス＃が特定されている。例えば、ＡＵでマルチビューコンテンツを構成する場合、ＡＵ内には、複数のＰＵが格納されていて、夫々のＰＵ内には、各ビューのコンテンツを構成するパケットを示す複数のエレメンタリーストリームパケットＩＤへのポインタが格納されている。これは後述するＥＳマップテーブル１３４内のインデックス番号を示している。
【０３１５】
図３８の下段において、ＥＳマップテーブル１３４には、フィールド（Ｆｉｅｌｄ）別に、ＥＳマップテーブル総合情報（ＥＳ＿ｍａｐ  ｔａｂｌｅ総合情報）と、複数のインデックス＃ｍ（ｍ＝１，２，…）と、「その他の情報」とが格納されている。
【０３１６】
「ＥＳマップテーブル総合情報」には、当該ＥＳマップテーブルのサイズや、総インデックス数等が記述される。
【０３１７】
そして「インデックス＃ｍ」は夫々、再生に使用される全エレメンタリーストリームのエレメンタリーストリームパケットＩＤ（ＥＳ＿ＰＩＤ）と、それに対応するインデックス番号及びエレメンタリーストリームのアドレス情報を含んで構成されている。
【０３１８】
本実施例では例えば、このアドレス情報、即ちＥＳアドレス情報１３４ｄとして、前述のようにエレメンタリーストリームがＭＰＥＧ２のビデオストリームである場合には、Ｉピクチャの先頭のＴＳパケット番号とこれに対応する表示時間のみが、ＥＳマップテーブル１３４中に記述されており、データ量の削減が図られている。
【０３１９】
このように構成されているため、ＡＵテーブル１３１から指定されたＥＳマップ１３４のインデックス番号から、実際のエレメンタリーストリームのエレメンタリーストリームパケットＩＤ（ＥＳ＿ＰＩＤ）が取得可能となる。また、そのエレメンタリーストリームパケットＩＤに対応するエレメンタリーストリームのアドレス情報も同時に取得可能であるため、これらの情報を元にしてオブジェクトデータの再生が可能となる。
【０３２０】
以上説明した光ディスク１００のデータ構造によれば、もし新しいタイトルを光ディスク１００に追加する場合でも、簡単に必要な情報を追加できるので有益である。逆に、例えば編集等を行った結果、ある情報が不要になったとしても、単にその情報を参照しなければよいだけであり、実際にその情報をテーブルから削除しなくてもよい構造となっているため有益である。
【０３２１】
尚、図３８では、上段のＡＵテーブル１３１から参照しないＥＳ＿ＰＩＤについても、下段のＥＳマップテーブル１３４のインデックス別に記述してあるが、当該参照しないＥＳ＿ＰＩＤについては、このように記述する必要はない。但し、このように参照しないＥＳ＿ＰＩＤをも記述することで、より汎用性の高いＥＳマップテーブル１３４を作成しておけば、例えば、オーサリングをやり直す場合など、コンテンツを再編集する場合にＥＳマップテーブルを再構築する必要がなくなるという利点がある。
【０３２２】
ここで図３１から図３８を参照して説明した一具体例の如きデータ構造を有する光ディスク１００を再生する際の各種ファイル等の再生順序について説明を加える。
【０３２３】
先ず、図３１に示したタイトル情報セットのうち、ディスクヘッダ１１２ｘが再生される。その一貫として図３２に示したタイトルテーブル１１２ｘｔｔが再生され、そのうちタイトルメニュー開始アドレス又はタイトルコンテンツ開始アドレスが取得される。
【０３２４】
次に、この取得されたアドレス情報に従って、図３１に示したタイトル情報２００の再生が開始される。より具体的には、図３３に示したタイトルエレメント２００−２の再生が行われ、プレイリストセット番号が取得される。更に、プレイリスト＃１〜＃ｋへのポインタ２００ＰＴが取得される。尚、ポインタ２００ＰＴによってプレイリスト１２６を指定する構成を採ることで、前にタイトルエレメント２００−２の再生により特定されたプレイリストセット内にある複数のプレイリストを、複数のタイトル間で共用可能となる。
【０３２５】
次に、図３２に示したプレイリストセットテーブル１１２ｘｐｔが再生され、プレイリストセット開始アドレスが取得される。これに基づいて、図３４に示したプレイリストセット１２６Ｓの再生が開始され、先ずＰＬプレゼンテーション１２６−１ｘｉが再生される。
【０３２６】
次に、要求機能情報の一例たるＰＬプレゼンテーション１２６−１ｘｉと、当該光ディスク１００を再生中の情報再生システムの再生機能（即ち、ビデオパーフォーマンス、オーディオパーフォーマンス等）とが比較されることで、図３４に示したプレイリストセット１２６Ｓ中から、最適なプレイリスト１２６が一つ選択される。
【０３２７】
次に、この選択されたプレイリスト１２６の再生が行われる。より具体的には、図３５に示したプレイリストエレメント１２６−２の再生が行われる。この際、先ずプリコマンド１２６ＰＲが実行され、続いて、図３６に示したマスターＰアイテム番号が取得され、図３７に示したアイテム定義テーブルが参照されることで、該当するアイテム２０４が再生される。このアイテム２０４の再生は、実際には、ストリームオブジェクトＰアイテム２０４-streamを再生することで得
られるＥＳインデックス番号、ＩＮタイム及びＯＵＴタイムに従って、該当するＴＳオブジェクトを再生することで行われる（図３８参照）。その後、図３５に示したポストコマンド１２６ＰＳが実行され、更に、ネクスト情報１２６−６Ｎに従って、次に再生すべきプレイリストエレメントの指定が行われて、その再生が同様に繰り返して行われる。
【０３２８】
以上図１から図３８を参照して詳細に説明したように、本実施例によれば、例えば複数の番組或いは複数のパレンタルブロックやアングルブロック等を含む、大量のコンテンツ情報を、一つのタイトルとして効率的に記録することが可能となり、更に比較的容易にしてそれらの番組等のうち所望のものを選択して再生することが可能となる。
【０３２９】
尚、上述の実施例では、情報記録媒体の一例として光ディスク１００並びに情報再生記録装置の一例として光ディスク１００に係るレコーダ又はプレーヤについて説明したが、本発明は、光ディスク並びにそのレコーダ又はプレーヤに限られるものではなく、他の高密度記録或いは高転送レート対応の各種情報記録媒体並びにそのレコーダ又はプレーヤにも適用可能である。
【０３３０】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、情報再生装置及び方法、情報記録再生装置及び方法、記録又は再生制御用のコンピュータプログラム、並びに制御信号を含むデータ構造もまた本発明の技術的範囲に含まれるものである。
【図面の簡単な説明】
【０３３１】
【図１】本発明の情報記録媒体の一実施例である光ディスクの基本構造を示し、上側部分は複数のエリアを有する光ディスクの概略平面図であり、これに対応付けられる下側部分は、その径方向におけるエリア構造の図式的概念図である。
【図２】従来のＭＰＥＧ２のプログラムストリームの図式的概念図（図２（ａ））、本実施例で利用されるＭＰＥＧ２のトランスポートストリームの図式的概念図（図２（ｂ））であり、本実施例で利用されるＭＰＥＧ２のプログラムストリームの図式的概念図（図２（ｃ））である。
【図３】本実施例の光ディスク上に記録されるデータ構造を模式的に示す図である。
【図４】図３に示した各タイトル内におけるデータ構造の詳細を階層的に示す概念図である。
【図５】図３に示した各プレイリストセット内におけるデータ構造の詳細を階層的に示す概念図である。
【図６】図３に示した各プレイリストセット内におけるデータ構造の詳細を模式的に示す概念図である。
【図７】図６に示した各アイテムにおけるデータ構造の詳細を模式的に示す概念図である。
【図８】図４に示した各タイトルエレメント内におけるデータの論理構成を模式的に示す概念図である。
【図９】本実施例において、各プレイリストセットをプレイリスト一つから構成する場合における、図４に示した各タイトルエレメント内におけるデータの論理構成を模式的に示す概念図である。
【図１０】図３に示した各オブジェクト内におけるデータ構造の詳細を模式的に示す概念図である。
【図１１】本実施例における、上段のプログラム＃１用のエレメンタリーストリームと中段のプログラム＃２用のエレメンタリーストリームとが多重化されて、これら２つのプログラム用のトランスポートストリームが構成される様子を、横軸を時間軸として概念的に示す図である。
【図１２】本実施例における、一つのトランスポートストリーム内に多重化されたＴＳパケットのイメージを、時間の沿ったパケット配列として概念的に示す概念図である。
【図１３】実施例における光ディスク上のデータの論理構成を、論理階層からオブジェト階層或いは実体階層への展開を中心に模式的に示した図である。
【図１４】本発明の実施例に係る情報記録再生装置のブロック図である。
【図１５】本実施例における情報記録再生装置の記録動作（その１）を示すフローチャートである。
【図１６】本実施例における情報記録再生装置の記録動作（その２）を示すフローチャートである。
【図１７】本実施例における情報記録再生装置の記録動作（その３）を示すフローチャートである。
【図１８】本実施例における情報記録再生装置の記録動作（その４）を示すフローチャートである。
【図１９】本実施例における情報記録再生装置の再生動作を示すフローチャートである。
【図２０】本実施例の第１選択方式で用いられるタイトルエレメント２００−２の一例におけるデータの論理構成を模式的に示す概念図である。
【図２１】本実施例の第１選択方式における一つのプレイリストによる再生動作を示すフローチャートである。
【図２２】本実施例の第１選択方式における一つのプレイリストを選択する選択動作を示すフローチャートである。
【図２３】本実施例の第２選択方式で用いられるタイトルエレメント２００−２の他の例におけるデータの論理構成を模式的に示す概念図である。
【図２４】本実施例の第２選択方式における一つのプレイリストによる再生動作を示すフローチャートである。
【図２５】本実施例の第２選択方式における一つのプレイリストを選択する選択動作を示すチャートである。
【図２６】本実施例の第３選択方式で用いられるタイトルエレメント２００−２の他の例におけるデータの論理構成を模式的に示す概念図である。
【図２７】図２６のうちプレイリストセット制御情報のデータ構造の詳細を模式的に示す概念図である。
【図２８】本実施例の第３選択方式における一つのプレイリストによる再生動作を示すフローチャートである。
【図２９】本実施例の第３選択方式における一つのプレイリストを選択する選択動作を示すチャートである。
【図３０】本実施例における、光ディスクの論理構造との関係で、再生時におけるアクセスの流れ全体を概念的に示す図である。
【図３１】本実施例におけるタイトル情報セットの一具体例における階層構造を模式的に示す概念図である。
【図３２】本実施例におけるディスクヘッダの一具体例における階層構造を模式的に示す概念図である。
【図３３】本実施例におけるタイトル情報の一具体例における階層構造を模式的に示す概念図である。
【図３４】本実施例におけるプレイリストセットの一具体例における階層構造を模式的に示す概念図である。
【図３５】本実施例におけるプレイリストの一具体例における階層構造を模式的に示す概念図である。
【図３６】本実施例におけるプレイリストエレメントの一具体例における階層構造を模式的に示す概念図である。
【図３７】本実施例におけるアイテム定義テーブルの一具体例における階層構造を模式的に示す概念図である。
【図３８】本実施例による一具体例における、オブジェクト情報ファイル内に構築されるＡＵテーブル及びこれに関連付けられるＥＳマップテーブルにおけるデータ構成の一具体例を図式的に示す図である。
【符号の説明】
【０３３２】
１００  光ディスク
１０５  ファイルシステム
１１０  ディスク情報ファイル
１２０  プレイリスト情報ファイル
１２６  プレイリスト
１２６Ｓ  プレイリストセット
１３０  オブジェクト情報ファイル
１３４  ＥＳマップテーブル
１４０  オブジェクトデータファイル
１４２  ＴＳ（トランスポートストリーム）オブジェクト
１４６  ＴＳパケット
２００  タイトル
２００−２  タイトルエレメント
２０４  アイテム
５００  情報記録再生装置
５０２  光ピックアップ
５０６  復調器
５０８  デマルチプレクサ
５１１  ビデオデコーダ
５１２  オーディオデコーダ
５１３  サブピクチャデコーダ
５２０  システムコントローラ
５４０  メモリ
６０６  変調器
６０８  フォーマッタ
６１０  ＴＳオブジェクト生成器
６１１  ビデオエンコーダ
６１２  オーディオエンコーダ
６１３  サブピクチャエンコーダ
【図１】
2006252759.tif 000003
【図２】
2006252759.tif 000004
【図３】
2006252759.tif 000005
【図４】
2006252759.tif 000006
【図５】
2006252759.tif 000007
【図６】
2006252759.tif 000008
【図７】
2006252759.tif 000009
【図８】
2006252759.tif 000010
【図９】
2006252759.tif 000011
【図１０】
2006252759.tif 000012
【図１１】
2006252759.tif 000013
【図１２】
2006252759.tif 000014
【図１３】
2006252759.tif 000015
【図１４】
2006252759.tif 000016
【図１５】
2006252759.tif 000017
【図１６】
2006252759.tif 000018
【図１７】
2006252759.tif 000019
【図１８】
2006252759.tif 000020
【図１９】
2006252759.tif 000021
【図２０】
2006252759.tif 000022
【図２１】
2006252759.tif 000023
【図２２】
2006252759.tif 000024
【図２３】
2006252759.tif 000025
【図２４】
2006252759.tif 000026
【図２５】
2006252759.tif 000027
【図２６】
2006252759.tif 000028
【図２７】
2006252759.tif 000029
【図２８】
2006252759.tif 000030
【図２９】
2006252759.tif 000031
【図３０】
2006252759.tif 000032
【図３１】
2006252759.tif 000033
【図３２】
2006252759.tif 000034
【図３３】
2006252759.tif 000035
【図３４】
2006252759.tif 000036
【図３５】
2006252759.tif 000037
【図３６】
2006252759.tif 000038
【図３７】
2006252759.tif 000039
【図３８】
2006252759.tif 000040
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
複数のコンテンツ情報と、
該複数のコンテンツ情報の再生シーケンスを各々規定する複数のプレイリスト情報と、
前記複数のプレイリスト情報のうち一つのプレイリスト情報を、前記コンテンツ情報を再生する再生装置に対して入力又は設定される選択判断情報に応じて選択するコマンドと
が記録されたことを特徴とする情報記録媒体。
【請求項２】
前記選択判断情報は、
同時間帯に記録された番組群中の一つの番組の選択する旨、若しくはパレンタルブロック又はアングルブロックを選択する旨の、前記再生装置に対してユーザにより入力される入力情報と、
前記再生装置におけるシステムパラメータと、
前記再生装置における前記ユーザにより設定された再生可能な機能を示す設定情報と
のうち少なくとも一つを有することを特徴とする請求項１に記載の情報記録媒体。
【請求項３】
前記複数のコンテンツ情報は、相互に所定の関係を有するコンテンツ情報を含むことを特徴とする請求項１又は２に記載の情報記録媒体。
【請求項４】
前記相互に所定の関係を有するコンテンツ情報は、
同時間帯に記録された複数の番組に係るコンテンツ情報と、パレンタルブロック又はアングルブロックに係るコンテンツ情報とのうち少なくとも一つを含むことを特徴とする請求項３に記載の情報記録媒体。
【請求項５】
前記複数のコンテンツ情報は、同一タイトルであって前記再生装置において要求される再生機能が互いに異なることを特徴とする請求項１又は２に記載の情報記録媒体。
【請求項６】
前記複数のコンテンツ情報は、それらのコンテンツから考えて相互に特定関係を有する複数の番組又は複数のプログラムに係るコンテンツ情報を含むことを特徴とする請求項１又は２に記載の情報記録媒体。
【請求項７】
前記コンテンツから考えて相互に特定関係を有する複数の番組又は複数のプログラムは、多元放送における相互に切り替え可能な複数の番組或いは複数のプログラムであることを特徴とする請求項６に記載の情報記録媒体。
【請求項８】
複数のコンテンツ情報を記録する第１記録手段と、
該複数のコンテンツ情報の再生シーケンスを各々規定する複数のプレイリスト情報を記録する第２記録手段と、
前記複数のプレイリスト情報のうち一つのプレイリスト情報を、前記コンテンツ情報を再生する再生装置に対して入力又は設定される選択判断情報に応じて選択するコマンドを記録する第３記録手段と
を備えたことを特徴とする情報記録装置。
【請求項９】
前記選択判断情報は、
同時間帯に記録された番組群中の一つの番組の選択する旨、若しくはパレンタルブロック又はアングルブロックを選択する旨の、前記再生装置に対してユーザにより入力される入力情報と、
前記再生装置におけるシステムパラメータと、
前記再生装置における前記ユーザにより設定された再生可能な機能を示す設定情報と
のうち少なくとも一つを有することを特徴とする請求項８に記載の情報記録装置。
【請求項１０】
前記複数のコンテンツ情報は、相互に所定の関係を有するコンテンツ情報を含むことを特徴とする請求項８又は９に記載の情報記録装置。
【請求項１１】
前記複数のコンテンツ情報は、同一タイトルであって前記再生装置において要求される再生機能が互いに異なることを特徴とする請求項８又は９に記載の情報記録装置。
【請求項１２】
前記複数のコンテンツ情報は、それらのコンテンツから考えて相互に特定関係を有する複数の番組又は複数のプログラムに係るコンテンツ情報を含むことを特徴とする請求項８又は９に記載の情報記録装置。
【請求項１３】
請求項１から７のいずれか一項に記載の情報記録媒体を再生する情報再生装置であって、
前記複数のコンテンツ情報、前記複数のプレイリスト情報及び前記コマンドを再生可能な再生手段と、
前記再生手段により再生されたコマンドに基づき、前記複数のプレイリスト情報のうち、コンテンツ情報の再生シーケンスを規定する一つのプレイリスト情報を選択し、該選択されたプレイリスト情報により規定される再生シーケンスで前記コンテンツ情報を再生するように前記再生手段を制御する制御手段と
を備えたことを特徴とする情報再生装置。
【手続補正２】
【補正対象書類名】明細書
【補正対象項目名】００１３
【補正方法】変更
【補正の内容】
【００１３】
請求項１記載の情報記録媒体は、例えば上記課題を解決するために、複数のコンテンツ情報と、該複数のコンテンツ情報の再生シーケンスを各々規定する複数のプレイリスト情報と、前記複数のプレイリスト情報のうち一つのプレイリスト情報を、前記コンテンツ情報を再生する再生装置に対して入力又は設定される選択判断情報に応じて選択するコマンドとが記録される。
【手続補正３】
【補正対象書類名】明細書
【補正対象項目名】００１４
【補正方法】変更
【補正の内容】
【００１４】
請求項８記載の情報記録装置は、例えば上記課題を解決するために、複数のコンテンツ情報を記録する第１記録手段と、該複数のコンテンツ情報の再生シーケンスを各々規定する複数のプレイリスト情報を記録する第２記録手段と、前記複数のプレイリスト情報のうち一つのプレイリスト情報を、前記コンテンツ情報を再生する再生装置に対して入力又は設定される選択判断情報に応じて選択するコマンドを記録する第３記録手段とを備える。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
請求項１３記載の情報再生装置は、例えば上記課題を解決するために、請求項１から７のいずれか一項に記載の情報記録媒体を再生する情報再生装置であって、前記複数のコンテンツ情報、前記複数のプレイリスト情報及び前記コマンドを再生可能な再生手段と、前記再生手段により再生されたコマンドに基づき、前記複数のプレイリスト情報のうち、コンテンツ情報の再生シーケンスを規定する一つのプレイリスト情報を選択し、該選択されたプレイリスト情報により規定される再生シーケンスで前記コンテンツ情報を再生するように前記再生手段を制御する制御手段とを備える。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２５
【補正方法】変更
【補正の内容】
【００２５】
本発明の情報記録媒体の実施形態は、複数のコンテンツ情報と、該複数のコンテンツ情報の再生シーケンスを各々規定する複数のプレイリスト情報と、前記複数のプレイリスト情報のうち一つのプレイリスト情報を、前記コンテンツ情報を再生する再生装置に対して入力又は設定される選択判断情報に応じて選択するコマンドとが記録される。
例えば、本発明の情報記録媒体の実施形態は、複数のコンテンツ情報と、該複数のコンテンツ情報の再生シーケンスを規定する複数のプレイリスト情報を夫々含む複数のプレイリストセットと、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報とが記録されている。
【手続補正１４】
【補正対象書類名】明細書
【補正対象項目名】００３０
【補正方法】変更
【補正の内容】
【００３０】
このような複数のコンテンツ情報を記録する際に、記録開始から停止までを論理的に一つのタイトルとして記録しつつ、複数のコンテンツ情報の再生シーケンスを各々規定する複数のプレイリスト情報が記録され、更に、これら複数のプレイリスト情報のうち一つのプレイリスト情報を、コンテンツ情報を再生する再生装置に対して入力又は設定される選択判断情報に応じて選択するコマンドが記録される。ここに「選択判断情報」は、例えば、同時間帯に記録された番組群中の一つの番組の選択する旨、若しくはパレンタルブロック又はアングルブロックを選択する旨の、再生装置に対してユーザにより入力される入力情報と、再生装置におけるシステムパラメータと、再生装置におけるユーザにより設定された再生可能な機能を示す設定情報とのうち少なくとも一つを有する。このような記録の際には、例えば、これら複数のコンテンツ情報に対して関連する複数のプレイリスト情報を夫々含む複数のプレイリストセットが記録される。しかも、これら複数のプレイリストセットの中から、例えば番組別、ビデオ解像度、パレンタルレベル、アングルなど複数のコンテンツ情報別に、再生されるべきコンテンツ情報に対応するプレイリストセットを指定するタイトル情報が記録される。
【手続補正１５】
【補正対象書類名】明細書
【補正対象項目名】００３１
【補正方法】変更
【補正の内容】
【００３１】
従って、当該情報記録媒体の再生時には、再生されたコマンドに基づいて、再生装置に対して入力又は設定される選択判断情報に応じて、複数のプレイリスト情報のうち、例えば再生装置の機能に適したものとして、一つのプレイリスト情報が選択される。そして例えば、タイトル情報により指定される各プレイリストセットに含まれる複数のプレイリスト情報のうち、いずれかのプレイリスト情報によって規定される再生シーケンスで、コンテンツ情報を再生すれば、例えばＤＶＤレコーダ用途或いはＤＶＤ−ＲＯＭ用において一つのタイトルとして記録された複数のコンテンツ情報のうちのいずれかが再生されることとなる。よって、例えばＤＶＤプレーヤ等の情報再生装置において、各プレイリストセットに含まれる複数のプレイリスト情報のうち、所望の番組、所望のビデオ解像度、所望のパレンタルレベル、所望のアングルなど、所望のコンテンツ情報に対応するものを選択するように制御を実行すれば、タイトルとして当該所望のコンテンツ情報を再生できることになる。
【手続補正１６】
【補正対象書類名】明細書
【補正対象項目名】００３２
【補正方法】変更
【補正の内容】
【００３２】
以上の結果、本実施形態によれば、例えば複数の番組、或いは複数のビデオ解像度やパレンタルレベルやアングル等を含む、大量のコンテンツ情報に対するプレイリストの中から関連するプレイリストを、一つのタイトルとして効率的に記録可能となる。更に選択判断情報に応じて選択するコマンドに基づいて、比較的容易にして、それらの番組等のうち所望のものを選択して再生可能となる。
尚、複数のコンテンツ情報は、相互に所定の関係を有するコンテンツ情報を含んでもよく、更に、この「相互に所定の関係を有するコンテンツ情報」は、同時間帯に記録された複数の番組に係るコンテンツ情報と、パレンタルブロック又はアングルブロックに係るコンテンツ情報とのうち少なくとも一つを含んでもよい。或いは、複数のコンテンツ情報は、同一タイトルであって前記再生装置において要求される再生機能が互いに異なってもよい。更に、複数のコンテンツ情報は、それらのコンテンツから考えて相互に特定関係を有する複数の番組又は複数のプログラムに係るコンテンツ情報を含んでもよいし、この「コンテンツから考えて相互に特定関係を有する複数の番組又は複数のプログラム」は、多元放送における相互に切り替え可能な複数の番組或いは複数のプログラムであってもよい。いずれの場合にも、選択判断情報に応じて選択するコマンドに基づいて、複数のコンテンツ情報に係る複数の番組等のうち、所望のものを選択して再生可能となる。
【手続補正１７】
【補正対象書類名】明細書
【補正対象項目名】００６３
【補正方法】変更
【補正の内容】
【００６３】
本発明の情報記録装置の実施形態は、複数のコンテンツ情報を記録する第１記録手段と、該複数のコンテンツ情報の再生シーケンスを各々規定する複数のプレイリスト情報を記録する第２記録手段と、前記複数のプレイリスト情報のうち一つのプレイリスト情報を、前記コンテンツ情報を再生する再生装置に対して入力又は設定される選択判断情報に応じて選択するコマンドを記録する第３記録手段とを備える。
この際、第２記録手段は、例えば、複数のプレイリスト情報を夫々含む複数のプレイリストセットを記録してもよい。また例えば、第３記録手段は、前記複数のコンテンツ情報を論理的に一まとまりの情報単位であるタイトルとして再生するように、再生されるべきコンテンツ情報に対応する少なくとも一つのプレイリストセットを前記複数のプレイリストセットの中から指定するタイトル情報を記録してもよい。
【手続補正１８】
【補正対象書類名】明細書
【補正対象項目名】００６４
【補正方法】変更
【補正の内容】
【００６４】
本発明の情報記録装置の実施形態によれば、例えばコントローラ、エンコーダ、後述のＴＳオブジェクト生成器、光ピックアップ又はカッティングデバイス等からなる第１記録手段は、例えばＤＶＤ等からなる情報記録媒体上に、複数のコンテンツ情報を記録する。例えばコントローラ、エンコーダ、光ピックアップ又はカッティングデバイス等からなる第２記録手段は、例えばＤＶＤ等からなる情報記録媒体上に、複数のプレイリスト情報を記録し、例えば複数のプレイリスト情報を夫々含む複数のプレイリストセットを記録する。例えばコントローラ、エンコーダ、光ピックアップ又はカッティングデバイス等からなる第３記録手段は、プレイリスト情報を選択判断情報に応じて選択するコマンドを記録し、更に例えば、少なくとも一つのプレイリストセットを複数のプレイリストセットの中から指定するタイトル情報を記録する。
【手続補正１９】
【補正対象書類名】明細書
【補正対象項目名】００７１
【補正方法】変更
【補正の内容】
【００７１】
本発明の情報再生装置の第１実施形態は、上述した本発明の情報記録媒体の実施形態（但し、その各種態様を含む）を再生する情報再生装置であって、前記複数のコンテンツ情報、前記複数のプレイリスト情報及び前記コマンドを再生可能な再生手段と、前記再生手段により再生されたコマンドに基づき、前記複数のプレイリスト情報のうち、コンテンツ情報の再生シーケンスを規定する一つのプレイリスト情報を選択し、該選択されたプレイリスト情報により規定される再生シーケンスで前記コンテンツ情報を再生するように前記再生手段を制御する制御手段とを備える。
【手続補正２０】
【補正対象書類名】明細書
【補正対象項目名】００７２
【補正方法】変更
【補正の内容】
【００７２】
本発明の情報再生装置の第１実施形態によれば、例えばコントローラ、デコーダ、デマルチプレクサ、光ピックアップ等からなる再生手段は、コンテンツ情報、プレイリスト情報及びコマンドを再生可能であり、更に例えばプレイリストセット及びタイトル情報を再生可能である。そして、例えばコントローラ等からなる制御手段は、再生されたコマンドに基づき、複数のプレイリスト情報のうち、コンテンツ情報の再生シーケンスを規定する一つのプレイリスト情報を選択し、該選択されたプレイリスト情報により規定される再生シーケンスでコンテンツ情報を再生するように再生手段を制御する。この際制御手段は、例えば、再生された複数のプレイリストセットの中から、再生されたタイトル情報により指定された少なくとも一つを選択する。更に、この選択されたプレイリストセットに含まれる複数のプレイリスト情報のうち、再生されるべきコンテンツ情報の再生シーケンスを規定する一つのプレイリスト情報により規定される再生シーケンスで、複数のコンテンツ情報を再生するように再生手段を制御する。